(57)【要約】      （修正有）【課題】ピストン装置に関し、特にピストンヘッドを、当該ピストンヘッドの移動を制御するトラックに連結する動力伝達機構を改良する。【解決手段】トラック１１ｂとシリンダ内部で移動可能なピストンとを含み、上記トラック１１ｂはシリンダに対して回転軸周囲を回転するように適合されており、かつカム表面１３ｂと当該カム表面１３ｂから伸長しているエッジ面１４ｂとを有し、上記ピストンは上記カム表面１３ｂ上を走行するフォロワによって、上記トラック１１ｂと連結しており、上記カム表面１３ｂは上記トラック１１ｂが上記シリンダに対して移動するときに、上記ピストンヘッド７が上記カム表面１３ｂの軌道に従ってシリンダ内部で往復運動するように形成されており、上記ピストンに安定化部材１５が、上記ピストンヘッド７の下部に伸長し、かつ上記トラック１１ｂの上記エッジ面１４ｂと係合する接触面を備えている、ピストン装置。【選択図】図６ｂ
2020143673.tif 000002
【特許請求の範囲】
【請求項１】
トラックと、第１シリンダ内部で移動可能な第１ピストンと、第２シリンダ内部で移動可能な第２ピストンとを含み、
上記トラックは、各シリンダに対して、回転軸周囲を回転するように適合されており、かつ、カム表面と、当該カム表面から伸長しているエッジ面とを有し、
上記第１ピストンは、上記カム表面上を走行する第１フォロワによって、上記トラックと連結しており、上記第２ピストンは、上記カム表面上を走行する第２フォロワによって、上記トラックと連結しており、
上記カム表面は、上記トラックが各シリンダに対して移動するときに、各ピストンヘッドが上記カム表面の軌道に従って各ピストン軸に沿って各シリンダ内部で往復運動するように、形成されており、各ピストン軸は、上記トラックの回転軸に垂直であり、
各ピストンに各安定化部材が接続され、各安定化部材は、各ピストンヘッドの下部に伸長し、かつ、上記トラックの上記エッジ面と係合する接触面を備え、上記第１ピストンの運動は上記トラックを介して上記第２ピストンの運動にのみ連結されている、ピストン装置。
【請求項２】
各シリンダが上記回転軸に対して固定で、上記トラックが上記回転軸周囲を回転する、請求項１に記載のピストン装置。
【請求項３】
各安定化部材は、１つ以上の締め具によって、ピストンヘッドに固定して接続されている、請求項１または２に記載のピストン装置。
【請求項４】
各安定化部材の上記接触面の形状は、実質的に、上記トラックの上記エッジ面の形状と一致する、請求項１〜３の何れか１項に記載のピストン装置。
【請求項５】
各安定化部材は、第１端面および第２端面を備え、上記接触面は、当該第１端面と当該第２端面との間に伸長し、
上記第１端面および上記第２端面の少なくとも１つは、上記各ピストンが往復運動するときに、滑走するように位置決め部材と係合する、請求項１〜４の何れか１項に記載のピストン装置。
【請求項６】
各フォロワは、上記各ピストンに取り付けられているローラを備えており、当該ローラは、上記トラックに沿って走行するときに、上記各ピストンに対して回転するように適合されている、請求項１〜５の何れか１項に記載のピストン装置。
【請求項７】
上記トラックは、互いに反対方向を向いている第１カム表面および第２カム表面を備えており、上記エッジ面は、当該第１カム表面および当該第２カム表面の間に伸長し、
各ピストンは、第１フォロワおよび第２フォロワを備え、当該第１フォロワおよび当該第２フォロワは、それぞれ、上記第１カム表面および上記第２カム表面上を走行する、請求項１〜６の何れか１項に記載のピストン装置。
【請求項８】
上記トラックは、各安定化部材の各反対面に位置している第１トラック部および第２トラック部を備えており、
上記第１トラック部は、少なくとも１つのカム表面から伸長するエッジ面を備え、また、上記第２トラック部は、エッジ面を備え、当該エッジ面は、少なくとも１つのカム表面から伸長し、かつ上記第１トラック部の上記エッジ面に対向しており、
各安定化部材は、第１接触面および第２接触面を備え、当該第１接触面および当該第２接触面は、上記第１トラック部および上記第２トラック部の各エッジ面と係合する、請求項１〜７の何れか１項に記載のピストン装置。
【請求項９】
各安定化部材は、上記各ピストンと上記トラックとの間の相対的な動きの方向に平行な方向に、上記各安定化部材の範囲にわたって次第に細くなる厚さを有している、請求項１〜８の何れか１項に記載のピストン装置。
【請求項１０】
上記トラックは、上記回転軸に対する半径方向内側表面および／または半径方向外側表面として配置されている上記カム表面を有する半径方向トラックである、請求項１〜９の何れか１項に記載のピストン装置。
【請求項１１】
上記トラックは、上記回転軸に対する半径方向内側表面および／または半径方向外側表面として配置されている上記カム表面を有する半径方向トラックであり、
上記第１トラック部の上記エッジ面は、実質的に、上記第２トラック部の上記エッジ面に平行である、請求項８に記載のピストン装置。
【請求項１２】
各安定化部材の接触面は、上記各ピストンの軸に平行な方向から見た場合、実質的にまっすぐである、請求項１１に記載のピストン装置。
【請求項１３】
上記トラックは、上記回転軸に平行な方向に向いて配置されている上記カム表面を有する環状トラックである、請求項１〜９の何れか１項に記載のピストン装置。
【請求項１４】
上記トラックは、上記回転軸に平行な方向に向いて配置されている上記カム表面を有する環状トラックであり、
上記第１トラック部および上記第２トラック部は、上記第１トラック部の上記エッジ面と上記第２トラック部の上記エッジ面との間に環状の隙間が形成されるように、同心円状に配置されている、請求項８に記載のピストン装置。
【請求項１５】
各安定化部材は、上記環状の隙間内部に位置しており、かつ、上記回転軸に平行な方向から見た場合、湾曲した形状を有しており、当該湾曲した形状は、上記環状の隙間の湾曲した形状に実質的に一致する半径を有している、請求項１４に記載のピストン装置。
【請求項１６】
上記エッジ面は、各安定化部材の上記接触面が、潤滑油の膜を介して上記トラックの上記エッジ面と接触するように潤滑油が差されている、請求項１〜１５の何れか１項に記載のピストン装置。
【請求項１７】
上記各安定化部材の上記接触面は、上記トラックの上記エッジ面からオイルを受け取るように適合されているオイルピックアップを備えている、請求項１６に記載のピストン装置。
【請求項１８】
上記エッジ面は、潤滑油送達デバイスによって潤滑油が差され、
上記潤滑油送達デバイスは、潤滑油送達口を含む本体部を備え、当該潤滑油送達口を介して、潤滑油が上記エッジ面に供給され、
上記潤滑油送達デバイスは、少なくとも１つのフォロワをさらに備えており、当該少なくとも１つのフォロワは、上記トラックが上記各シリンダに対して動いたとき、上記潤滑油送達デバイスが、上記トラックの上記軌道に従って往復運動するように、上記潤滑油送達デバイスを上記トラックに連結し、これにより、上記エッジ面に対する潤滑油の供給が維持される、請求項１６または１７に記載のピストン装置。
【請求項１９】
各ピストンヘッドが上記カム表面の軌道に従って上記各ピストン軸に沿って上記各シリンダ内部で単純調和運動でない往復運動をする、請求項１〜１８の何れか１項に記載のピストン装置。
【請求項２０】
各ピストン軸は上記トラックの回転軸を通らない、請求項１〜１９の何れか１項に記載のピストン装置。
【請求項２１】
請求項１〜２０の何れか１項に記載の少なくとも１つのピストン装置を備えている、内燃エンジン。
【請求項２２】
トラックと、シリンダ内部で移動可能なピストンとを含み、
上記トラックは、シリンダに対して、回転軸周囲を回転するように適合されており、かつ、カム表面と、当該カム表面から伸長しているエッジ面とを有し、
上記ピストンは、上記カム表面上を走行するフォロワによって、上記トラックと連結しており、
上記カム表面は、上記トラックが上記シリンダに対して移動するときに、ピストンヘッドが上記カム表面の軌道に従ってピストン軸に沿ってシリンダ内部で往復運動するように、形成されており、上記ピストン軸は、上記トラックの回転軸に垂直であり、
上記ピストンに安定化部材が接続され、当該安定化部材は、上記ピストンヘッドの下部に伸長し、かつ、上記トラックの上記エッジ面と係合する接触面を備え、
上記トラックは、互いに対向している第１カム表面および第２カム表面を備えており、
上記ピストンは、第１フォロワおよび第２フォロワを備え、当該第１フォロワおよび当該第２フォロワは、それぞれ、上記第１カム表面および上記第２カム表面上を走行する、ピストン装置。
【請求項２３】
上記シリンダが上記回転軸に対して固定で、上記トラックが上記回転軸周囲を回転する、請求項２２に記載のピストン装置。
【請求項２４】
上記安定化部材は、１つ以上の締め具によって、ピストンヘッドに固定して接続されている、請求項２２または２３に記載のピストン装置。
【請求項２５】
上記安定化部材の上記接触面の形状は、実質的に、上記トラックの上記エッジ面の形状と一致する、請求項２２〜２４の何れか１項に記載のピストン装置。
【請求項２６】
上記安定化部材は、第１端面および第２端面を備え、上記接触面は、当該第１端面と当該第２端面との間に伸長し、
上記第１端面および上記第２端面の少なくとも１つは、上記ピストンが往復運動するときに、滑走するように位置決め部材と係合する、請求項２２〜２５の何れか１項に記載のピストン装置。
【請求項２７】
上記フォロワは、上記ピストンに取り付けられているローラを備えており、当該ローラは、上記トラックに沿って走行するときに、上記ピストンに対して回転するように適合されている、請求項２２〜２６の何れか１項に記載のピストン装置。
【請求項２８】
上記第１カム表面および第２カム表面は互いに反対方向を向いており、上記エッジ面は、当該第１カム表面および当該第２カム表面の間に伸長する、請求項２２〜２７の何れか１項に記載のピストン装置。
【請求項２９】
上記トラックは、上記安定化部材の各反対面に位置している第１トラック部および第２トラック部を備えており、
上記第１トラック部は、少なくとも１つのカム表面から伸長するエッジ面を備え、また、上記第２トラック部は、エッジ面を備え、当該エッジ面は、少なくとも１つのカム表面から伸長し、かつ上記第１トラック部の上記エッジ面に対向しており、
上記安定化部材は、第１接触面および第２接触面を備え、当該第１接触面および当該第２接触面は、上記第１トラック部および上記第２トラック部の各エッジ面と係合する、請求項２２〜２８の何れか１項に記載のピストン装置。
【請求項３０】
上記安定化部材は、上記ピストンと上記トラックとの間の相対的な動きの方向に平行な方向に、上記安定化部材の範囲にわたって次第に細くなる厚さを有している、請求項２２〜２９の何れか１項に記載のピストン装置。
【請求項３１】
上記トラックは、上記回転軸に対する半径方向内側表面および／または半径方向外側表面として配置されている上記カム表面を有する半径方向トラックである、請求項２２〜３０の何れか１項に記載のピストン装置。
【請求項３２】
上記トラックは、上記回転軸に対する半径方向内側表面および／または半径方向外側表面として配置されている上記カム表面を有する半径方向トラックであり、
上記第１トラック部の上記エッジ面は、実質的に、上記第２トラック部の上記エッジ面に平行である、請求項２９に記載のピストン装置。
【請求項３３】
上記安定化部材の接触面は、上記ピストンの軸に平行な方向から見た場合、実質的にまっすぐである、請求項３２に記載のピストン装置。
【請求項３４】
上記トラックは、上記回転軸に平行な方向に向いて配置されている上記カム表面を有する環状トラックである、請求項２２〜３０の何れか１項に記載のピストン装置。
【請求項３５】
上記トラックは、上記回転軸に平行な方向に向いて配置されている上記カム表面を有する環状トラックであり、
上記第１トラック部および上記第２トラック部は、上記第１トラック部の上記エッジ面と上記第２トラック部の上記エッジ面との間に環状の隙間が形成されるように、同心円状に配置されている、請求項２９に記載のピストン装置。
【請求項３６】
上記安定化部材は、上記環状の隙間内部に位置しており、かつ、上記回転軸に平行な方向から見た場合、湾曲した形状を有しており、当該湾曲した形状は、上記環状の隙間の湾曲した形状に実質的に一致する半径を有している、請求項３５に記載のピストン装置。
【請求項３７】
上記エッジ面は、上記安定化部材の上記接触面が、潤滑油の膜を介して上記トラックの上記エッジ面と接触するように潤滑油が差されている、請求項２２〜３６の何れか１項に記載のピストン装置。
【請求項３８】
上記安定化部材の上記接触面は、上記トラックの上記エッジ面からオイルを受け取るように適合されているオイルピックアップを備えている、請求項３７に記載のピストン装置。
【請求項３９】
上記エッジ面は、潤滑油送達デバイスによって潤滑油が差され、
上記潤滑油送達デバイスは、潤滑油送達口を含む本体部を備え、当該潤滑油送達口を介して、潤滑油が上記エッジ面に供給され、
上記潤滑油送達デバイスは、少なくとも１つのフォロワをさらに備えており、当該少なくとも１つのフォロワは、上記トラックが上記シリンダに対して動いたとき、上記潤滑油送達デバイスが、上記トラックの上記軌道に従って往復運動するように、上記潤滑油送達デバイスを上記トラックに連結し、これにより、上記エッジ面に対する潤滑油の供給が維持される、請求項３７または３８に記載のピストン装置。
【請求項４０】
上記ピストンヘッドが上記カム表面の軌道に従って上記ピストン軸に沿って上記シリンダ内部で単純調和運動でない往復運動をする、請求項２２〜３９の何れか１項に記載のピストン装置。
【請求項４１】
請求項２２〜４０の何れか１項に記載の少なくとも１つのピストン装置を備えている、内燃エンジン。
【発明の詳細な説明】
【発明の詳細な説明】
【０００１】
〔技術分野〕
本発明は、ピストン装置に関し、特に、ピストンヘッドを、当該ピストンヘッドの移動を制御するトラックに連結する動力伝達機構に関する。
【０００２】
〔背景技術〕
例えば、内燃エンジンに用いられる従来のピストン装置は、連結棒によってクランクシャフトに連結されているシリンダ内部で移動可能なピストンヘッドを備えている。別のピストン装置では、ピストンヘッドは、カム表面を有するトラックに連結されてもよく、当該ピストンヘッドは、当該ピストンヘッドの移動を制御するようにトラックに沿って動く１つ以上のカムフォロワが備えられている。本発明は、上記別のピストン装置における、ピストンヘッドをトラックに連結する動力伝達機構の改良に関する。
【０００３】
〔発明の概要〕
本発明の第一の態様は、トラックと、シリンダ内部で移動可能なピストンとを含み、上記トラックは、シリンダに対して、回転軸周囲を回転するように適合されており、かつ、カム表面と、当該カム表面から伸長（延在）しているエッジ面とを有し、上記ピストンは、上記カム表面上を走行するフォロワによって、上記トラックと連結しており、上記カム表面は、上記トラックが上記シリンダに対して移動するときに、ピストンヘッドが上記カム表面の軌道に従ってシリンダ内部で往復運動するように、形成されており、上記ピストンに安定化部材（固定部）が接続され、当該安定化部材は、上記ピストンヘッドの下部に伸長し、かつ、上記トラックの上記エッジ面と係合する接触面を備えている、ピストン装置を提供する。上記安定化部材は、上記ピストンを、上記トラックの上記エッジ面の平面に対して垂直な方向において固定するように働く。
【０００４】
トラックは、シリンダが回転軸に対して静止し続けている間に、回転軸周囲を回転してもよい。あるいは、シリンダは、固定されたトラックに沿って動いてもよい。トラックは、単一のトラック部を備えていてもよく、または、代わりに、安定化部材の対になった面上に、少なくとも２つのトラック部を備えていてもよい。トラックまたは各トラックは、カム表面を備えていてもよく、当該カム表面上を、単一のフォロワが走行してもよく、または、トラックまたは各トラックは、代わりに、２つの背中合わせのカム表面を備えていてもよく、当該背中合わせのカム表面上を、第１フォロワおよび第２フォロワが走行してもよい。考え得る種々の異なるトラック配置が、下記で、より詳細に検討される。
【０００５】
トラックは、途切れのない環を形成してもよく、また、カム表面は、当該環の周囲に伸長している途切れのない表面（連続表面）を形成してもよい。あるいは、カム表面における途切れ、例えば、小さな不連続点（切れ目）があってもよい。カム表面は、トラックに対して固定されてもよく、または、代わりに、カム表面は、トラックに対して固定されている固定部分と、カム表面の一部分を形成し、かつトラックに対して移動可能である可動部分、例えば、トラックに取り付けられている１つ以上のローラ、とを含んでもよい。ローラは、回転軸周囲を回転するように適合されていてもよく、また、自由に回転してもよく、部分的に制限、および／または、駆動されてもよい。
【０００６】
安定化部材は、例えば、締め具によって、ピストンヘッドに固定して（強固に）接続されていてもよい。あるいは、安定化部材は、別の方法で、固定して、または回転自在（枢動可能）に、ピストンヘッドに接続されてもよく、または、ピストンヘッドと一体的に形成されてもよい。安定化部材は、連結棒などの中間部材を介してピストンヘッドに接続されてもよく、当該連結棒などの中間部材は、ピストンヘッドと安定化部材とに固定して接続されてもよく、または、当該連結棒などの中間部材は、代わりに、ピストンヘッドと安定化部材とに回転自在に接続されてもよい。
【０００７】
エッジ面の平面に平行で、かつピストンの移動方向に垂直な、方向の長さよりも著しく小さい、トラックのエッジ面の平面に対して垂直な方向の厚さを有するように、安定化部材は、刀身のようであってもよい。例えば、安定化部材の上記長さは、安定化部材の上記厚さの少なくとも２倍であってもよく、または、上記厚さの少なくとも３倍であってもよく、または、上記厚さの少なくとも４倍であってもよく、または、上記厚さの少なくとも５倍であってもよい。安定化部材の上記長さは、実質的に、ピストンヘッドの直径と等しくてもよく、または、代わりに、ピストンヘッドの直径よりも、大きくてもよく、もしくは、小さくてもよい。
【０００８】
上記安定化部材の上記接触面の形状は、実質的に、上記トラックの上記エッジ面の形状と一致してもよい。例えば、トラックのエッジ面は、まっすぐであってもよく、また、安定化部材の接触面は、それに対応するまっすぐな形状を有してもよく、または、代わりに、トラックのエッジ面は、凸状であってもよく、また、安定化部材の接触面は、それに対応する凹形状を有してもよい。あるいは、安定化部材の接触面は、いくつかの他の形状を有してもよく、例えば、凸状の安定化部材は、トラックのまっすぐなエッジ面または凸状のエッジ面を支持してもよい。
【０００９】
上記安定化部材は、第１端面および第２端面を備えてもよく、上記接触面は、当該第１端面と当該第２端面との間に伸長し、上記第１端面および上記第２端面の少なくとも１つは、上記ピストンが往復運動するときに、滑走するように位置決め部材と係合する。好ましくは、安定化部材の第１端面および第２端面は、滑走するように第１位置決め部材および第２位置決め部材と係合し、これにより、トラックのエッジ面の平面に垂直な方向においてピストンを固定する。端面と位置決め部材との間の接合面は、好ましくは、平面であるが、任意の他の形状を有してもよい。
【００１０】
上記フォロワは、上記ピストンに取り付けられているローラを備えていてもよく、当該ローラは、上記トラックに沿って走行するときに、上記ピストンに対して回転するように適合されている。ローラは、ピストンヘッド内もしくはピストンヘッド上に取り付けられてもよく、および／または、安定化部材内もしくは安定化部材上に取り付けられてもよい。ピストン装置は、例えば、本発明の第２の態様に係るベアリングを備えてもよい（後述する）。あるいは、フォロワは、ピストンヘッドおよび／または安定化部材から突出した完全な円筒形のシャフト上に取り付けられたローラであってもよい。あるいは、フォロワは、ピストンヘッドおよび／もしくは安定化部材を通って伸長するか、またはピストンヘッドおよび／もしくは安定化部材内に伸長するローラであってもよく、当該ローラは、当該ローラの外周に伸長する完全な円筒形の接触面を介して、ピストンヘッドおよび／または安定化部材に係合しているだけである。ピストンに取り付けられている複数のローラまたは他のフォロワ、例えば、トラックの複数のカム表面上を走行する複数のフォロワがあってもよい。
【００１１】
上記トラックは、互いに反対方向を向いている第１カム表面および第２カム表面を備えていてもよく、上記エッジ面は、当該第１カム表面および当該第２カム表面の間に伸長し、上記ピストンは、第１フォロワおよび第２フォロワを備え、当該第１フォロワおよび当該第２フォロワは、それぞれ、上記第１カム表面および上記第２カム表面上を走行する。第１フォロワおよび第２フォロワは、好ましくは、ピストン軸に平行な方向において互いにずれて配置されている。安定化部材は、好ましくは、第１フォロワと第２フォロワとの間に伸長し、かつ、第１フォロワと第２フォロワとを接続している。第１フォロワは、ピストンの軸に並ぶ第１の向きにピストンを動かすように適合されてもよく、また、第２フォロワは、第１の向きと反対の第２の向きにピストンを動かすように適合されてもよい。対向する第１カム表面と第２カム表面とは、互いに外側を向くことにより、互いに対向してもよく、または、代わりに内側を向くことにより、互いに対向してもよい。
【００１２】
上記トラックは、上記安定化部材の各反対面に位置している第１トラック部および第２トラック部を備えてもよく、上記第１トラック部は、少なくとも１つのカム表面から伸長するエッジ面を備え、また、上記第２トラック部は、エッジ面を備え、当該エッジ面は、少なくとも１つのカム表面から伸長し、かつ上記第１トラック部の上記エッジ面に対向しており、上記安定化部材は、第１接触面および第２接触面を備え、当該第１接触面および当該第２接触面は、上記第１トラック部および上記第２トラック部の各エッジ面と係合する。従って、ピストンは、トラックのエッジ面の平面に垂直な方向において、完全に固定されてもよい。
【００１３】
安定化部材は、その全長にわたって、実質的に均一な厚さを有してもよい。上記安定化部材は、上記ピストンと上記トラックとの間の相対的な動きの方向に平行な方向に、上記安定化部材の範囲にわたって次第に細くなる厚さを有してもよい。当該テーパは、第１トラック部のエッジ面と第２トラック部のエッジ面との間に形成された隙間内部において、例えば静水圧下で、安定化部材が自分で中央に配置されることを可能にし得る。テーパは、安定化部材の全体の厚さと比較して小さくてもよく、例えば、安定化部材の一方の端部では、安定化部材の接触面と各トラック部のエッジ面との間の間隔は０．０８ｍｍであり、これは、反対の端部における０．０４ｍｍの間隔と対比される。種々の間隔およびテーパ角度が、ピストン装置の応用に従って採用されてもよい。あるいは、安定化部材は、任意の他の形状を有してもよく、例えば、まっすぐなエッジ面または凸状のエッジ面を支持する凸状の形状を有してもよい。
【００１４】
上記トラックは、上記回転軸に対する半径方向内側表面（内部放射面）および／または半径方向外側表面（外部放射面）として配置されている上記カム表面を有する半径方向トラック（放射状トラック）であってもよい。従って、当該トラックは、回転軸から半径方向（放射状）に外側に伸長する方向の高さを有し、当該高さは、トラックの範囲にわたって変化してもよい。上記第１トラック部の上記エッジ面は、実質的に、上記第２トラック部の上記エッジ面に平行であってもよい。上記安定化部材は、上記ピストンの軸に平行な方向から見た場合、実質的にまっすぐであってもよい。
【００１５】
上記トラックは、上記回転軸に平行な方向に向いて配置されている上記カム表面を有する環状トラックであってもよい。従って、当該トラックは、回転軸に平行な方向の高さを有し、当該高さは、トラックの範囲にわたって変化してもよい。上記第１トラック部および上記第２トラック部は、上記第１トラック部の上記エッジ面と上記第２トラック部の上記エッジ面との間に環状の隙間が形成されるように、同心円状に配置されてもよい。従って、当該第１トラック部のエッジ面と、当該第２トラック部のエッジ面とは、それぞれ、内部トラック部の半径方向外側表面と、外部トラック部の半径方向内側表面とを備えてもよい。上記安定化部材は、上記環状の隙間内部に位置し、かつ、上記回転軸に平行な方向から見た場合、湾曲した形状を有してもよく、当該湾曲した形状は、上記環状の隙間の湾曲した形状に実質的に一致する半径を有している。安定化部材は、第１接触面と第２接触面とを有してもよく、当該第１接触面は、内部トラック部の半径方向外側表面と係合し、かつ内部トラック部の半径方向外側表面の曲率半径と実質的に一致する曲率半径を有し、当該第２接触面は、外部トラック部の半径方向内側表面と係合し、かつ外部トラック部の半径方向内側表面の曲率半径と実質的に一致する曲率半径を有する。
【００１６】
上記エッジ面は、上記安定化部材の上記接触面が、潤滑油の膜を介して上記トラックの上記エッジ面と接触するように潤滑油が差されてもよい。当該トラックが第１トラック部および第２トラック部を備えている場合、両方のトラック部のエッジ面に潤滑油が差されていてもよい。
【００１７】
上記安定化部材の上記接触面は、上記トラックの上記エッジ面から潤滑油を受け取るように適合されている潤滑油ピックアップを備えてもよい。従って、潤滑油は、潤滑油ピックアップを介して安定化部材によって採取され、かつ、安定化部材周囲およびピストン周囲で、潤滑油が必要になる安定化部材またはピストンの任意の部分に供給されてもよい。ピックアップは、接触面に形成された開口部を備えてもよい。安定化部材の一方の接触面または両方の接触面上に位置する１つ以上のピックアップがあってもよい。
【００１８】
上記エッジ面は、潤滑油送達デバイスによって潤滑油が差されてもよく、上記潤滑油送達デバイスは、潤滑油送達口を含む本体部を備え、当該潤滑油送達口を介して、潤滑油が上記エッジ面に供給され、上記潤滑油送達デバイスは、少なくとも１つのフォロワをさらに備えており、当該少なくとも１つのフォロワは、上記トラックが上記シリンダに対して動いたとき、上記潤滑油送達デバイスが、上記トラックの上記軌道に従って往復運動するように、上記潤滑油送達デバイスを上記トラックに連結し、これにより、上記エッジ面に対する潤滑油の供給が維持される。潤滑油送達デバイスは、好ましくは、トラックの第１カム表面および第２カム表面上を走行する第１フォロワおよび第２フォロワを備え、当該第１フォロワおよび第２フォロワは、それぞれ、反対方向に潤滑油送達デバイスを動かすように働く。いくつかの実施形態では、一方のフォロワまたは両方のフォロワは、潤滑油送達デバイスのフォロワが潤滑油を除去する機能を有する必要はないが、ピストンに取り付けられたフォロワが走行するトラックの１つ以上のカム表面から、余分なオイルを一掃するように適合されてもよい。好ましくは、潤滑油送達デバイスのフォロワは、ピストンに取り付けられている第１フォロワおよび第２フォロワと同じ間隔および半径を有する。潤滑油送達デバイスのフォロワは、好ましくは、当該潤滑油デバイスの本体部と一体的に形成され、かつ、トラックのカム表面上を走行する滑動ベアリング面を有する。しかし、潤滑油送達デバイスは、代わりに、ベアリングまたはローラを備えてもよい。あるいは、エッジ面は、別の方法、例えば、潤滑油噴射によって潤滑油が差されてもよい。
【００１９】
内燃エンジンが、本発明の第１の態様に係る少なくとも１つのピストン装置を備えてもよい。あるいは、当該ピストン装置は、別の応用、例えば、ポンプに用いられてもよい。内燃エンジンは、個々のピストン装置を駆動する共通のトラックおよび／または複数のトラックから稼働する複数のピストン装置を備えてもよい。ピストン装置
本発明の第２の態様は、シリンダ内部で移動可能なピストンと、当該シリンダに対して移動するように適合されているカム表面を有するトラックとを備えており、上記ピストンは、上記カム表面上を走行するベアリングによって上記トラックに連結されており、上記ベアリングは、ローラと湾曲したベアリング面（支持面）とを有しており、当該湾曲したベアリング面上で、上記ローラは、上記カム表面と上記ベアリング面との間に保持されているように、回転可能に取り付けられており、上記ベアリング面は、上記ローラの外周の長さにおける一部分にのみ伸長する接触面を介して上記ローラと係合している、ピストン装置を提供する。本発明の第２の態様に係るピストン装置は、本発明の第１の態様に関して記載される少なくともいくつかの特徴を含んでもよい。
【００２０】
ベアリングは、ローラを介して、ピストンとトラックとの間の負荷を伝達する。ローラは、湾曲したベアリング面上を回転するように適合されており、また、ローラは、トラックに対して滑ってもよいが、トラックに沿って転がるように適合されている。ベアリングは、ベアリング面とローラとの間に、全面的な３６０度の接触面を有していないため、ベアリングは、ベアリング旋回（bearing whirl）を有利に減少または抑制する。
【００２１】
上記湾曲したベアリング面は、上記ローラの半径方向内側表面と係合していてもよい。
【００２２】
上記湾曲したベアリング面は、上記ローラの中空の中心部に伸長しているシュー上に備えられていてもよい。シューは、ピストンと一体的に形成されてもよい。あるいは、シューは、別の方法でピストンに接続されてもよく、例えば、締め具によって接続されてもよく、または溶接継手によって接続されてもよい。シューをピストンヘッドに結合させる１つ以上の介在する部材があってもよい。ローラは、シュー上を回転できるが、シューとトラックとが互いに離れない限り、シューから離れることができないように、シューと走行する表面との間に保持されていてもよい。シューは、単一の一体型シューを備えてもよく、または、代わりに、シューは、複数の離散的なシュー部分を備えてもよい。
【００２３】
上記シューは、上記ローラの上記半径方向内側表面に潤滑油を供給し、かつ／または上記ローラの上記半径方向内側表面から潤滑油を除去するための潤滑油放出口および／または潤滑油ピックアップを備えていてもよい。従って、シューは、湾曲したベアリング面とローラとの間の境界面に潤滑油を差してもよく、また、例えば、ローラの半径方向内側表面上で潤滑油の温度を調節するために、潤滑油は、継続的に交換されてもよい。好ましくは、潤滑油排出口および／または潤滑油ピックアップは、湾曲したベアリング面上に備えられている。
【００２４】
上記ローラは、上記シューの側面に位置した、半径方向に内部に伸長しているフランジを有していてもよい。フランジは、シューの互い違いの側面(alternate sides)上に半径方向に内部に伸長する第１フランジおよび第２フランジを備えてもよい。フランジは、ローラをシュー上に保持するのに役立ちうる。
【００２５】
上記湾曲したベアリング面と、上記ローラの上記半径方向内側表面との間の上記接触面は、１８０度未満の角度で伸長していてもよい。好ましくは、接触面は、１６０度未満、または１４０度未満、または１２０度未満、または１００度未満、または９０度未満、の角度で伸長している。あるいは、接触面は、１８０度より大きい角度で伸長していてもよく、例えば２００度より大きい角度で伸長していてもよい。特に、ローラが、半径方向に内部に伸長している１つ以上のフランジを備えている場合、１８０度未満で伸長する接触面は、シュー上にローラを設置することの容易さを向上し得る。
【００２６】
上記湾曲したベアリング面と上記ローラの上記半径方向内側表面との間の上記接触面は、上記ローラの回転中心軸を通り、かつ上記シリンダ内部の上記ピストンの移動方向に並んでいる平面の片側に偏って配置されていてもよい。例えば、面積を基準として接触面の少なくとも５５％または少なくとも６０％または少なくとも７０％または少なくとも８０％は、上記平面の片側に配置されてもよい。接触面の中心点は、例えば、ローラの回転中心軸周囲で、少なくとも５度、または少なくとも１０度、または少なくとも２０度、または少なくとも３０度、上記平面の片側に偏って配置されてもよい。シューは、上記平面の片側に偏って配置されてもよい。接触面とシューとは、ピーク負荷の方向に並べられてもよく、または、ピーク負荷の方向へ偏って配置されてもよい。ローラの片側へシューを偏って配置することは、ローラを介してトラックとピストンとの間に、当該部材の動きの方向に並んでいない角度で伝達されるピーク負荷に耐えることに役立ち得る。
【００２７】
上記湾曲したベアリング面は、上記ローラの半径方向外側表面に係合してもよい。ベアリング面は、ローラの全周には伸長していないため、ローラの外部表面の一部は、露出されたままであり、それは、湾曲したベアリング面が伸長していないローラの外周の一部である。従って、ローラは、カム表面とのその境界面の真上(directly above)の位置で上記の湾曲したベアリング面と係合する一方で、カム表面上を走行し得る。従って、ローラを介した、トラックとピストンとの間の負荷伝達が向上する。
【００２８】
湾曲したベアリング面は、ローラにおける外周の長さの一部にのみ伸長している接触面を介してローラに係合しており、これにより、ローラの露出した部分がカム表面に係合することを可能にしているが、ローラは、外周のより大きい部分、例えば、３６０度まで伸長している更なるベアリング面と係合してもよいことに注目すべきである。この場合、ローラがトラックに係合するようにローラの半径方向外側表面の一部を露出したままにする必要がない位置で、このさらなるベアリング面が、ローラの側面に配置される。このさらなるベアリング面は、上記で示されたベアリング面と繋がっていてもよい。例えば、ローラが、ピストンの互い違いの側面上でカム表面と係合するように、ピストンを通って伸長している場合（下記でより詳細に説明する）、ローラは、露出された半径方向外側表面の一部を残す接触面を介して、また、ローラの全周に伸長してもよい介在（中間）ベアリング面も介して、ピストンの互い違いの側面上でカム表面と係合してもよい。
【００２９】
上記ピストンは、作用面を伴ったピストンヘッドを有しており、上記湾曲したベアリング面は、上記ピストンヘッドの裏面上に備えられている。ピストンヘッドは、少なくとも部分的に中空であるか、または、代わりに、中が詰まっている。あるいは、ローラの半径方向外側表面と係合する湾曲したベアリング面は、ピストン上の別の位置に備えられてもよく、例えば締め具によってまたは溶接継手によってピストンに接続された別個の部材上に備えられてもよい。湾曲したベアリング面をピストンヘッドに結合する１つ以上の介在する部材があってもよい。ローラは、湾曲したベアリング面上を回転することができるが、湾曲したベアリング面とトラックとが互いに離れない限り、湾曲したベアリング面から離れることができないように、湾曲したベアリング面と走行する面との間で保持されていてもよい。
【００３０】
上記ローラの上記半径方向外側表面と係合する上記湾曲したベアリング面は、潤滑油放出口および／または潤滑油ピックアップを備えていてもよい。
【００３１】
上記ローラは、軸の端面を有していてもよく、上記ピストンには、保持部が取り外し可能で取り付けられており、当該保持部は、上記ローラが当該保持部を越えて、上記ローラの回転軸と並ぶ方向に上記ピストンに対して動くことを防ぐように、上記ローラの上記軸の端面に位置している。保持部は、例えば、１つ以上の取り外し可能な締め具によって、ピストンヘッドに取り付けられていてもよい。
【００３２】
上記湾曲したベアリング面と上記ローラの上記半径方向外側表面との間の上記接触面は、１２０度と３３０度との間の角度で伸長していてもよい。好ましくは、接触面は、１５０度よりも大きい角度、または１８０度よりも大きい角度、または２１０度よりも大きい角度、または２４０度よりも大きい角度で伸長している。好ましくは、接触面は、３１０度よりも小さい角度、または、２９０度よりも小さい角度で伸長している。接触面は、例えば、約２７０度の角度で伸長している。しかし、接触面の少なくとも一部は、より小さい角度、例えば、９０度で伸長してもよい。
【００３３】
上記湾曲したベアリング面と上記ローラの上記半径方向外側表面との間の上記接触面は、上記ローラの回転中心軸を通り、かつ上記シリンダ内部の上記ピストンの移動方向に並んでいる面の片側に偏って配置されていてもよい。接触面の中心点は、上記平面の片側に偏って配置されてもよい。接触面は、ベアリング面によって係合されないローラの外部表面の露出された部分（それは、湾曲したベアリング面が伸長していないローラの外周の部分である）も上記平面の片側に偏って配置されるように、上記平面の片側に偏って配置されてもよい。ローラの露出した部分を片側に偏って配置させることにより、ベアリングは、ピストンヘッド（または、湾曲したベアリング面が備えられている他の部材）上とのトラックの衝突(fouling)を回避する一方で、トラックの幾何学的配置とシリンダの位置とを最適化し得る。代わりに、または、追加で、ベアリング面は、最大負荷の方向に並んでもよく、または、最大負荷の方向へ偏って配置されてもよい。
【００３４】
上記カム表面は、上記トラックが上記シリンダに対して動くときに、上記ピストンヘッドが上記カム表面の軌道に従ってシリンダ内部で往復運動するように、形成されていてもよい。
【００３５】
上記カム表面の少なくとも一部は、コーティング処理または表面処理が施されていてもよい。コーティング処理または表面処理は、硬度を向上させ、かつ／または、摩擦を低下させ得る。代わりに、または、追加で、カム表面の少なくとも一部は、トラックの本体に対して別個の部材上に備えられてもよく、当該別個の部材は、トラックの本体よりも、硬く、かつ／または、より小さい摩擦の、表面を備えている。
【００３６】
トラックはシリンダに対して回転軸の周りに回転する連続した環を形成してもよく、さらにはカム表面は前記環の周囲に伸長している連続表面（切れ目）を形成してもよい。あるいはカム表面に途切れがあってもよく、例えば小さな不連続点を形成してもよい。カム表面はトラックに対して固定されてもよく、あるいはカム表面はトラックに対して固定された固定部分とカム表面の一部分を形成し、かつトラックに対して運動可能である可動部分を含んでもよく、例えばトラックに取り付けられている１つ以上のローラを構成してもよい。ローラは１回転軸の周りに回転できるようになっており、自由回転でもよく、部分的に回転が制限されていてもよく、および／または、駆動されるようになっていてもよい。
【００３７】
シリンダは、トラックがシリンダに相対的に移動する間は固定された状態となっている。あるいはシリンダは、固定されたトラックに相対的に移動してもよい。
【００３８】
ローラは、ローラの周囲の周りに、ローラの半径方向外側表面を越えて伸長する隆起を有してもよく、隆起は、ローラの回転軸で決まる方向にローラがピストンに相対的に移動するのを防ぐようにトラックと係合し（噛み合い）てもよく、および／または、トラックは、トラックの周囲の周りに、カム表面を越えて伸長する隆起を有してもよく、隆起は、ローラの回転軸で決定される方向にローラがピストンに相対的に移動するのを防ぐようにローラと係合してもよい。ローラが隆起を有する場合、トラックは、隆起と係合するための対応する陥凹または溝を有してもよい。トラックが隆起を有する場合、ローラは、隆起と係合するための対応する陥凹または溝を有してもよい。ローラ上および／またはトラック上に備えられた一つ以上の隆起は、ローラの一方または両方の軸端に位置してもよく、および／または、ローラの両軸端の間の中間地点に位置してもよい。
【００３９】
接触面は部分的に円柱状であってもよい。あるいは接触面はそれに加えて、ローラの回転軸によって決まる第２の方向に湾曲していてもよい。
【００４０】
トラックはさらに、第１カム表面と対向する第２カム表面を有してもよく、ここにおいてピストン装置はさらに、一つのローラと湾曲したベアリング表面とを有する第２のベアリングを有し、ローラが第２カム表面とベアリング表面との間で保持されるようにローラが前記ベアリング表面に回転可能に取り付けられており、ここにおいてベアリング表面はローラの周囲の周りのある距離だけ伸長する接触面を介してローラと係合している。第２ベアリングは、第１ベアリングに関連する上記の特徴のいくつかまたは全てを有していてよい。第１ベアリングのローラは、第１カム表面の軌道に沿った第１方向にピストンを移動させるようにできており、第２ベアリングのローラは、第２カム表面の軌道に沿った対向する第２方向にピストンを移動させるようにできている。それゆえ、部品は両方向に固定されていてもよく、トラックの軌道に沿った往復運動で運動してもよい。互いに対向する第１と第２の動作表面は外向きに離れて対向していてもよく、内向きに対面となるように対向してもよい。
【００４１】
トラックは、ピストンの両方の対向面に位置した第１トラック部及び第２トラック部を有してもよく、各トラックは各カム表面を設けている。一つの共通ローラが第１、第２トラック部両方のカム表面と係合してもよい。共通のローラはピストンから伸長してもよい。あるいは２つに別々のローラがピストンの互い違いの側に設けられてもよく、各ローラは第１、第２トラック部の各一つに係合している。第１トラック部および第２トラック部はそれぞれ、第１カム表面と第２カム表面を有しており、各表面は、第１カム表面と第２カム表面の各々上で動作する第１ベアリングおよび第２ベアリングと対向する方向に面している。
【００４２】
トラックは、シリンダに対するトラックの回転軸に対して半径方向内側表面または半径方向外側表面として配置されたカム表面を有する半径方向のトラック（ラジアルトラック）でもよい。
【００４３】
シリンダは中心軸を持っており、ここにおいてシリンダの軸はシリンダに相対的なトラックの回転軸を通過しない。この場合、部品は、単純にトラックの中心に近づいたり離れたりして半径方向の追従動作をするのではなく、半径線に対して鋭角に移動する。シリンダに対するトラックの回転軸は、シリンダ軸からピストン工程長の少なくとも１０％、少なくとも２５％、少なくとも５０％、少なくとも７５％、少なくとも１００％の距離または１００％を越える距離だけ離れていてよい。シリンダに対するトラックの回転軸は、ローラの回転軸から見て少なくとも２°、少なくとも５°、少なくとも１０°、少なくとも１５°または２０°までの角度だけシリンダの軸から離れていてもよい。シリンダの軸をトラックの回転軸に対するある角度に配置することで、ピストン装置の構造とトラックはピストンからトラックへ動力を効率的に伝送する為に最適化され、その逆も然りである。ピストンをある角度に配置することはトラックの傾斜を最適化させることをも可能にする。
【００４４】
トラックは、シリンダに相対的なトラックの回転軸に平行な方向に面して配置されたカム表面を有する環状のトラックでもよい。そのようなトラックが部品の互い違いの側上の第１トラック部及び第２トラック部を含む場合、第１及び第２トラック部は、環状間隙が第１トラック及び第２トラック部のエッジ面の間に形成されるよう、好ましくは同心円上に配置される。本発明の第１態様に関連して説明されるように、ピストンは、第１及び第２部の間で伸長する安定化部材を有してもよい。
【００４５】
シリンダは中心軸を有してもよく、ここにおいてシリンダの軸はシリンダに相対的なトラックの回転軸に平行ではない。シリンダの軸はシリンダに対するトラックの回転軸から少なくとも２°、少なくとも５°、少なくとも１０°、少なくとも１５°または２０°まで離れていてもよい。シリンダの軸をトラックの回転軸に対してある角度で配置させることで、ピストン装置とトラックの構造はピストンからトラックへ動力を効率よく伝送させるために最適化でき、その逆も然りである。ピストンをある角度に配置することでトラックの傾斜を最適化させることも可能となる。
【００４６】
ローラは、カム表面の半径方向最内側端におけるローラの直径がカム表面の半径方向最外側端のローラの直径より小さくなるようにテーパ状の形状を含んでもよい。テーパはトラックの最内側部と最外側部の間とで経路長の相違させることができ、従ってトラックを渡ってローラが滑ることなくより滑らかに回転できる。
【００４７】
内燃エンジンは本発明の第２の形態に係るベアリング装置により動作するピストンを有している。あるいは第２の形態に係るピストン装置はいかなる他の用途にも使用可能で、例えばポンプに適用できる。
【００４８】
本発明の第３の形態は、シリンダ内で可動なピストンと、シリンダに相対的に移動するように適合されているカム表面を有するトラックとを含むピストン装置を提供し、カム表面上を動くベアリングによって前記ピストンがトラックと結合しており、ベアリングは、ローラと、湾曲したベアリング表面とを有し、ローラはカム表面を動く半径方向外側表面を有しており、湾曲したベアリング表面は、ローラがベアリング表面とカム表面との間で保持されるよう、ローラの半径方向外側表面に係合するようになっており、ベアリング表面は、ローラの半径方向外側表面の一部分が露出し、ベアリングがカム表面上を動くことができるよう、ローラの周囲の周りの距離の一部分だけ伸長する接触面を介してローラと係合している。
【００４９】
本発明の第４の形態は、トラックと結合したピストンを含むピストン装置を含む内燃エンジンを提供し、トラックはシャフトと結合しており、カム表面を有し、ピストンは、トラックのカム表面上を走行してピストンの動きを制御するフォロワを有し、エンジンはさらに、第１ケーシング部材及び第２ケーシング部材を含むケーシングを有し、ここにおいて第１ケーシング部材は界面で第２ケーシング部材と接触し、第１ピストンは第１ケーシング部材および第２ケーシング部材の間の界面を通る内腔(bore)内を往復運動する。
【００５０】
前記ピストンが動作する範囲の内腔には、第１ケーシング部材及び第２ケーシング部材が取り付けられた別々のシリンダが設けられてもよい。あるいは、前記内腔は、第１ケーシング部材及び第２ケーシング部材内に直接形成されてもよい。前記第１ケーシング部材及び第２ケーシング部材内で形成された内腔には、追加的に、シリンダライナが設けられてもよい。一つ以上のピストンがトラックと結合されてもよい。例えば、２つの相対するピストンがシャフトの反対側上のトラックに結合してもよく、ここにおいて各ピストンは第１ケーシング部材及び第２ケーシング部材の間の界面を通る各々のケーシング部材の内腔内を移動する。本発明の前述の形態に関連して説明したようにトラックは好ましくは半径方向のトラックである。前記トラックには好ましくはシャフトを受け取る中心孔が設けられており、シャフトを前記中心孔を介して移送することでトラックはシャフトに取り付けられる。前記トラックと前記シャフトとの間の相対的な回転は、好ましくは、トラックとシャフトの間のキー溝を付けられた(splined)または楔を付けられた(keyed)界面によって達成される。
【００５１】
動力伝達機構は、カム表面を有するトラックによって出力のシャフトに結合したフォロワを有するピストンを含んでおり、クランクシャフトと連接棒を用いた従来の動力伝達機構より組み立てが難しいかもしれない。ピストンがトラックと結合した後でピストンとトラックの周りで組み立てられるようにエンジンのケーシングを適合させることにより、エンジンの設計と組み立てがより容易になる。ケーシング部材ケーシング部材隣り合うケーシング部材間の分割線が内腔の位置に来るようにケーシングを構成することで、第１ケーシング部材及び第２ケーシング部材は、ピストンがトラックと結合し、トラックがシャフトと結合した後でピストンとトラックの周りに容易に組み立て可能となる。
【００５２】
トラックは、互いに反対方向に面する第１カム表面と第２カム表面を有してもよく、ピストンは、各トラックの第１カム表面と第２カム表面上を各々動く第１フォロワ及び第２フォロワを有してもよく、ここにおいてピストンは、第１カム表面を第１フォロワと係合するように、また第２カム表面を第２フォロワに係合するようにすることで、各トラックと結合されている。第１フォロワと第１カム表面は、ピストンが第１方向に移動するのに適合されてもよく、第２フォロワと第２表面は、ピストンが第１方向とは反対の方向に移動するように適合されてもよい。トラックが第１及び第２フォロワの間で保持されてもよく、あるいは、第１フォロワと第２フォロワとが第１及び第２カム表面の間で保持されてもよい。
【００５３】
トラックは第１トラックと第２トラック部を含んでもよく、各トラック部はカム表面を有し、ここにおいてピストンは第１トラック部と第２トラック部のカム表面を介してトラックと結合している。第１トラック部および第２トラック部のカム表面は各々共通のフォロワによって係合されてもよく、あるいは、２つの別々のフォロワを設けて、各フォロワがトラック部のうちの各一つについてのカム表面に係合してもよい。ピストンは、第１トラック部と第２トラック部との間で伸長する安定化部材を含んでもよい。反対方向を向いた第１カム表面と第２カム表面とを各トラック部が有して、第１カム表面と第２カム表面とのそれぞれの上をフォロワが走行するようにしてもよい。トラック部は、シャフトに取り付けられたスペーサ、例えば環状スリーブタイプのスペーサで、互いに分離されていてもよい。
【００５４】
第１トラック部と第２トラック部の間にプレート状の位置決め部材が提供され、前記位置決め部材は、ピストンを安定化し、第１トラック部および第２トラック部の間でピストンが移動するのを防ぐように働く。
【００５５】
第１ケーシング部材および第２ケーシング部材の界面は実質的に平坦であってよい。上記界面はシャフトの軸に実質的に垂直な平面上にあってよい。あるいは上記界面はいかなる他の形状であってもよく、シャフトに垂直な面上になくてもよく、および／またはつなぎ合わせたものでもよく、他の重ね合わせ機構を含んでいてもよい。
【００５６】
内燃エンジンはさらに、第２トラックに結合した第２ピストンを含んでもよく、ここにおいて第２トラックはシャフトと結合しており、カム表面を有し、第２ピストンは第２トラックのカム表面上を走行するフォロワを有し、フォロワは、第２ピストンの動きを制御する。ケーシングはさらに第３ケーシング部材を含み、ここにおいて第２ケーシング部材は界面で第３のケーシング部材と接触し、第２ピストンは第２ケーシング部材と第３のケーシング部材との間の界面を貫通する内腔で往復運動する。
【００５７】
エンジンが複数のピストンを動作させる複数のトラックを含む場合、複数のケーシング部材は、ピストンが２つの隣り合うケーシング部材の間の界面を貫通して伸長する内腔内で往復運動するように、シャフトの長さに沿って設けられる。上記エンジンは通常、シャフトに沿って離れている任意の個数のトラックを含んでよく、各々のトラックは１つ以上のピストンと結合している。２つのケーシング部材は各々のトラックに結合した上記または各々のピストンの周囲に集められる。そのため、各追加トラックに対して上記エンジンは、隣り合うトラックからなる各ペアの間にケーシング部材が配置されるような追加のケーシング部材を含む。例えば、一つのトラックしか有していないエンジンは、単一のトラックに結合した上記または各ピストンの周囲の界面で接触する一組の端部ケーシング部材を有する。各端部ケーシング部材は、単一のトラックに結合した上記または各ピストンが当該内腔内を移動するような内腔を部分的に含有する。２つのトラックのみを有するエンジンは、一組の端部ケーシング部材と、トラックペア間に配置される中間ケーシング部材とを有し、上記中間ケーシング部材は、トラックの一方に結合した上記または各ピストンが通過する界面で端部ケーシング部材のうちの一つと接触し、かつ、トラックの他方に結合した上記または各ピストンが通過する界面で端部ケーシング部材のうちの他方と接触する。３つトラックのみを有するエンジンでは、ケーシング部材は、一組の端部ケーシング部材と、第１トラック及び第２トラックの間に配置された中間ケーシング部材と、第２トラックと第３トラックの間に配置されたもう一つのケーシング部材とを含む。
【００５８】
多数の異なるトラック/ピストン装置を有する多様で異なるエンジンを組み立てるのに、共通設計のケーシング部材を使用してもよい。それゆえ、複数の異なる設計のエンジンを作り出すために必要とされる異なる部品の数が低減される。
【００５９】
各ケーシング部材は少なくとも実質的にシャフトの周りを取り囲んでもよい。間隙または開口は油溜め内に向かって開口する少なくとも一つのケーシング部材内に配置されてもよい。あるいは、少なくとも一つのケーシング部材は、シャフトの周りに伸長しなくてもよい。端部ケーシング部材は、隣り合うケーシング部材と接合するために、内側を向いた端部で開いていてもよく、エンジンケーシング部材の端部を封止するために、外側を向いた端部で閉じていてもよい。（エンジンが複数のトラックを有する場合に２つの隣り合うトラックの間に配置された）中間ケーシング部材は、両方の側で隣り合うケーシング部材と接合するために、概して両方の端部で開いている。ケーシング部材は鋳造および／または機械加工されてもよい。
【００６０】
ケーシング部材は、各ケーシング部材を通過する複数の締め具によって互いに接続されていてもよい。締め具は、例えば、ボルトやねじ棒としてもよい。ケーシング部材は、全てのケーシング部材を通過するただ一組の締め具によって互いに接続されてもよく、あるいは、各ケーシング部材は、隣り合うケーシング部材に個々に接続されてもよい。追加として、一つ以上の位置合わせ用ピンが、隣り合う少なくとも２つのケーシング部材を通過するようにしてもよい。
【００６１】
本発明の第５の態様は、トラックに結合したピストンを含むピストン装置を含む内燃エンジンの組み立て方法を提供し、ここにおいて、トラックは、シャフトに結合していてカム表面を有し、ピストンは、トラックのカム表面上を走行してピストンの動きを制御するフォロワを有し、エンジンはさらに、第１ケーシング部材及び第２ケーシング部材を含むケーシングを含み、ここにおいて第１ケーシング部材は界面で第２ケーシング部材と接触し、第１ピストンは第１ケーシング部材および第２ケーシング部材の間の界面を通る内腔内を往復運動し、その方法は、以下のステップを含む。
a)第１トラックをシャフトに結合し第１ピストンを第１トラックに結合することによって第１ピストン装置をシャフトに結合し、
b)第１ピストン装置がシャフトに結合された後、第１ケーシング部材及び第２ケーシング部材を第１ピストンの周囲に集め、
c) 一つ以上の締め具を用いて第１ケーシング部材及び第２ケーシング部材を結合する。
【００６２】
第１ケーシング部材及び第２ケーシング部材は、第１ピストン装置がトラックに結合された後同時に、あるいは第１ピストン装置がトラックに結合した後の異なる時間に、シャフトに関する所定の位置に移動してもよい。あるいはケーシング部材のどちらか一方は、第１ピストン装置がシャフトに結合する前に所定の位置に移動し、もう一方のケーシング部材は、第１ピストン装置がシャフトに結合した後に（第１ケーシング部材及び第２ケーシング部材が集まるような）所定の位置に移動してもよい。
【００６３】
上述のように、動力伝達機構は、カム表面を有するトラックによって出力のシャフトに結合したフォロワを有するピストンを含んでおり、クランクシャフトと連接棒を用いた従来の動力伝達機構よりも大きく、さらに組み立てるのが難しいかもしれない。ピストンがトラックと結合した後でピストンとトラックの周りで組み立てられるようにエンジンのケーシングを適合させることにより、エンジンの設計と組み立てがより容易になる。特に、エンジンを組み立てる技術者は、ピストン装置の少なくとも片側から完全にエンジンに到達できるため、第１ピストンを第１トラックに結合させ第１トラックをシャフトに結合させるために十分な空間がある。
【００６４】
内燃エンジンはさらに、第２トラックに結合した第２ピストンを含んでもよく、ここにおいて第２トラックはシャフトと結合しており、カム表面を有し、第２ピストンは第２トラックのカム表面上を走行するフォロワを有し、フォロワは、第２ピストンの動きを制御する。ケーシングはさらに第３のケーシング部材を含み、ここにおいて第２ケーシング部材は界面で第３のケーシング部材と接触し、第２ピストンは第２ケーシング部材と第３のケーシング部材との間の界面を貫通する内腔で往復運動する。その方法はさらに以下の工程を有する。
d)第２トラックをシャフトに結合して第２ピストンを第２トラックに結合させることによって、第２ピストン装置をシャフトに結合し、
e)第２ピストン装置がシャフトに結合した後で第２ケーシング部材及び第３のケーシング部材を第２ピストンの周りに集め、
f)１つ以上の締め具を使用し、第１ケーシング部材及び第２ケーシング部材を結合し、第２ケーシング部材及び第３ケーシング部材を結合し、
ここにおいて第１ピストン装置および第２ピストン装置がともにシャフトに結合する前に、第２ケーシング部材は第１ピストン及び第２ピストンの間に配置される。
【００６５】
（２つの隣り合う個々のトラックに連結した２つの隣り合うピストン装置の間に位置する中間ケーシング部材である）第２ケーシング部材は、第１ピストン装置及び第２ピストン装置がトラックに結合する前に、シャフトに関する所定の位置に加えられる。このようにして、第２ケーシング部材を、ピストンがトラック上で衝突することなく所定の位置に移動させることが可能となる。第２ケーシング部材は、第１ピストン装置及び第２ピストン装置のいずれかがシャフトに結合される前に、あるいは、ピストン装置の一方がシャフトに結合された後であって他方のピストン装置がシャフトに結合される前に、所定の位置に加えられる。
【００６６】
第１ケーシング部材、第２ケーシング部材、第３ケーシング部材は、例えば共通の締め具の組を用いて、同時に互いに結合されてもよい。あるいは、第１ケーシング部材および第２ケーシング部材は第１の締め具の組で互いに結合し、第２ケーシング部材および第３ケーシング部材は、別途、第２の締め具の組を使用することで互いに結合してもよい。
【００６７】
発明の第５の態様は、シャフトに沿って離れた任意の個数のトラックを有するエンジンを組み立てるのに使用されてよく、各トラックは、一つのピストン装置部を形成している。この場合、（２つの隣り合うトラックの間に位置する）各中間ケーシング部材は、（通常は、片側上のピストン装置がシャフトに結合した後に所定の位置に加えられるが、）両側のピストン装置がシャフトに結合する前に所定の位置に加えられる。各端部ケーシング部材は、シャフトの遠端部に配置されたピストン装置が所定の位置に加えられた後に、所定の位置に加えられる。
【００６８】
エンジンが、２つの隣り合うトラック部の間に位置する１つ以上の位置決め部材を有する場合、本方法はさらに、ピストンとトラックの周りにケーシング部を形成するために、複数のケーシング部材同士を接合する前に、第１トラック部及び第２トラック部の間に上記位置決め部材を配置する工程をさらに含む。
【００６９】
第４の態様に係る内燃エンジンは、本発明の第１、第２および／または第３の態様のうちの任意のものに係るピストン装置を含んでもよく、本発明の第５の態様に係る方法は、本発明の第１、第２および／または第３の態様のうちの任意のものに係るピストン装置を含む内燃エンジンを組み立てるために使用されてもよい。
【００７０】
〔図面〕
続いて、以下に示す添付の図面を参照して、本発明の各実施形態を説明する。
【００７１】
図１は、エンジンを示す。
【００７２】
図２は、様々な部材が省略された状態のエンジンを示す。
【００７３】
図３および図４は、ケーシングが省略された状態のエンジンの端面図および上面図を示す。
【００７４】
図５ａ、図５ｂ、図６ａ、および図６ｂは、所定の部材が省略された状態のエンジンのピストンのうちの１つに対する動力伝達機構を示す。
【００７５】
図７ａから図７ｅは、エンジンのピストンを示す。
【００７６】
図８は、エンジンのピストンのうちの１つに対する動力伝達機構の断面を示す。
【００７７】
図９ａおよび図９ｂは、エンジンのピストンのうちの２つと、当該ピストンを安定させるために用いられる位置決め部材と、送油機構とを示す。
【００７８】
図１０ａから図１０ｄは、様々な代替的なベアリングの配置を示す。
【００７９】
図１１は、エンジンにおいて使用可能な代替的なトラックを示す。
【００８０】
図１２、図１３ａ、図１３ｂ、および図１４は、代替的なトラックのレイアウトを示す。
【００８１】
図１５ａおよび図１５ｂは、代替的なベアリングの配置を示す。
【００８２】
図１６ａから図１６ｊは、組立時におけるエンジンの様々な段階を示す。
【００８３】
〔各実施形態の詳細な説明〕
図１は、ブロックアセンブリ２と、２つのヘッドアセンブリ３ａ・３ｂと、排気システムとを備えた内燃エンジン１を示す。図２は、ヘッドアセンブリ３ａ・３ｂと排気システムとが省略された状態のエンジン１を示す。これらのヘッドアセンブリおよび排気システムは、本発明の一部を構成するものではないため、詳細な説明を行わない。ブロックアセンブリ２は、３つのケーシング部材４ａ・４ｂ・４ｃを備えている。ケーシング部材４ａ・４ｂ・４ｃの内部には、４つのピストンアセンブリ５ａ・５ｂ・５ｃ・５ｄが取り付けられている。図３および図４はそれぞれ、ピストンアセンブリ５ａ・５ｂ・５ｃ・５ｄが可視となるように、ケーシング部材４ａ・４ｂ・４ｃが取り除かれた状態のエンジン１の端面図および上面図を示す。図５ａ、図５ｂ、図６ａ、および図６ｂは、明確化のために、第２ピストンアセンブリ５ｂ、第３ピストンアセンブリ５ｃ、および第４ピストンアセンブリ５ｄが省略された状態における、第１ピストンアセンブリ５ａを示す。以下、第１ピストンアセンブリの構造および機能について、詳細に説明する。なお、第２ピストンアセンブリ、第３ピストンアセンブリ、および第４ピストンアセンブリは、第１ピストンアセンブリと構造的および機能的に同様であると理解されてよい。
【００８４】
第１ピストンアセンブリ５ａは、ピストン８０を備えている。ピストン８０は、シリンダスリーブ８（図２において可視）の内部において可動であるピストンヘッド７（図７ａから図７ｄに図示）を有している。ピストンヘッド７は、回転軸９ａと出力フランジ１０とを有する出力シャフト９に、トラックを介して接続されている。トラックは、第１トラック部１１ａおよび第２トラック部１１ｂを備えている。各トラック部１１ａ・１１ｂは、スプライン連結部（不図示）によって、出力シャフト９に取り付けられており、かつ、当該出力シャフト９に対して回転可能に固定されている。トラック部１１ａ・１１ｂは、ピストンヘッド７およびシリンダスリーブ８に対して、出力シャフト９とともに回転軸９ａの周りに回転する。
【００８５】
各トラック部１１ａ・１１ｂは、自身の外周の周りに伸びる、半径方向外側表面のカム表面１２ａ・１２ｂを有している。また、各トラック部１１ａ・１１ｂは、張り出し部の下面に配置された、半径方向において内側のカム表面１３ａ・１３ｂを有している。当該内側のカム表面１３ａ・１３ｂは、上記外側のカム表面から遠ざかる方向を向いている（つまり、反対方向に向いている）。平面状のエッジ表面１４ａ・１４ｂは、各トラック部の外側のカム表面と内側のカム表面との間に伸びている。
【００８６】
図７ａ、図７ｂ、図７ｃ、および図７ｄは、第１ピストンアセンブリ５ａの側面図、正面図、背面図、および斜視図を示す。ピストンは、ピストンヘッド７と、安定化部材（固定部）またはブレード部材１５と、キャップ部材１６とを備えている。安定化部材１５は、ピストンヘッドの下部に接続されており、かつ、当該ピストンヘッドの下方に伸びている。また、キャップ部材１６は、安定化部材の下部に接続されており、かつ、当該安定化部材の下方に伸びている。安定化部材１５およびキャップ部材１６は、ボルト１７によってピストンヘッド７に接続されている。ピストンは、円筒状の第１ローラ１８および第２ローラ２０をさらに備えている。第１ローラ１８および第２ローラ２０は、回転可能であるように、ピストンの内部に取り付けられている。
【００８７】
第１ローラ１８は、半径方向外側表面を有している。当該表面は、部分的に円筒状である接触面１９ａの組に支持される。接触面１９ａは、ピストンのそれぞれの面（つまり、安定化部材１５の対向する両面）において、ピストンヘッド７の下面（つまり、作用面とは反対の面）に形成されている。部分的に円筒状である接触面１９ａはそれぞれ、ローラ１８の外周の周りにおいて、一部の距離のみ伸びている。これにより、接触面１９ａは、ローラを完全に囲むことなく、当該ローラの半径方向外側表面の一部１８ａを、当該接触面１９ａの下部に露出したままにできる（図７ａから図７ｄに図示されている）。露出部１８ａは、トラック１１ａ・１１ｂの外側のカム表面１２ａ・１２ｂ上において走行し、ピストンとトラックとの間において負荷を伝達する。部分的に円筒状であるベアリング面１９ａは、ローラ１８とトラックの外側のカム表面１２ａ・１２ｂとの間に位置する接触面の真上に配置されている。このため、当該ローラは、ピストンとトラックとの間において、負荷の直接的な伝達を効率的に行うことができる。
【００８８】
部分的に円筒状である接触面１９ａは、（ｉ）最も幅が狭い最外部（つまり、安定化部材１５の本体から最も離れた端部）において、ローラ１８の回転角の周りに約９０°の角度α１に亘って伸びており、かつ、（ｉｉ）最も幅が広い最内部において、約２７０°の角度に亘って伸びている。また、図７ｅに示されるように、ローラ１８は、部分的に円筒状である接触面１９ａ同士の間に位置する、完全に円筒状である付加的な接触面１９ｂを介して、ピストンと係合している。しかしながら、完全に円筒状である接触面１９ｂは、カム表面１２ａ・１２ｂ間で、ローラがトラックと係合しない位置に配置されている。このため、ローラの半径方向外側表面のどの部分も、当該位置で露出させておく必要がない。
【００８９】
図７ａに示されるように、部分的に円筒状である接触面１９ａは、ピストンヘッド７の中心軸７ａに対して対称に配置されていない。当該接触面のそれぞれは、ピストンをローラ１８の回転軸の方向から見た場合に、当該ピストンの軸の片側にずれている。当該ずれによって、ローラの露出部１８ａがピストンの片側にずれ、トラック１１ａ・１１ｂに対する空隙が生じる。当該空隙が無い場合には、ピストンに衝突(foul)が生じ得る。図３、および後により詳細に述べる図５ａにも示されるように、このことは、図３に示される実施形態（ピストンの軸が半径方向に配置されておらず、トラックの回転軸から角度的にずらされている）においては特に重要である。第１ローラ１８は、キーパープレート２２（図７ａに図示）によって、軸方向の移動が阻止されている。キーパープレート２２は、ローラの軸方向の各端部において、ピストンヘッドにボルト締めされている。
【００９０】
第２ローラ２０は、半径方向外側表面を有している。当該表面は、部分的に円筒状である接触面２１ａの組に支持される。接触面２１ａは、ピストンのそれぞれの面において、キャップ部材１６の上面に形成されている。部分的に円筒状である接触面２１ａはそれぞれ、ローラ２０の外周の周りにおいて、（角度α２に亘って）一部の距離のみ伸びている。これにより、接触面２１ａは、ローラを完全に囲むことなく、半径方向外側表面の一部２０ａを、当該接触面２１ａの上部に露出したままにできる。露出部２０ａは、内側のカム表面１２ａ・１２ｂ上において走行し、ピストンとトラック１１ａ・１１ｂとの間において負荷を伝達する。図７ａに示されるように、部分的に円筒状である接触面２１ａは、ローラ１８と係合する部分的に円筒状である接触面１９ａと同様に、位置がずらされている。また、第２ローラ２０は、第１ローラに比べて、より小さい直径およびより軽い構造を有している。その理由は、第２ローラによってピストンとトラックとの間において伝達されるピーク負荷は、第１ローラによってピストンとトラックとの間において伝達されるピーク負荷よりも小さいためである。
【００９１】
安定化部材１５は、第１接触面２３ａおよび第２接触面２３ｂ（図７ｄに図示）を備えている。第１接触面２３ａおよび第２接触面２３ｂはそれぞれ、トラックに対してピストンを安定させるための油膜を介して、トラック１１ａ・１１ｂのエッジ面１４ａ・１４ｂと係合している。接触面２３ａ・２３ｂは、トラックの平面状のエッジ面に対応するように、実質的に平面状である。しかしながら、安定化部材は、その厚さｔにおいて、安定化部材の範囲にわたって、安定化部材とトラックとの間の相対的な移動の方向（図８において矢印で示されている）と平行な方向にテーパを備えている。これにより、安定化部材の接触面２３ａ・２３ｂとトラック１１ａ・１１ｂのエッジ面１４ａ・１４ｂとの間の空隙の距離が、当該安定化部材の前方から後方に向かうにつれて減少する（前方は、接近してくるトラックに対向する端部として定義されている。つまり、前方は、図８のページの上方に面するエッジである）。一例として、安定化部材は、約０．０３°のテーパ角α３を有していてよい。安定化部材１５のテーパ形状により、トラックがピストンに対して移動した場合に、静水圧の作用によって当該安定部材自身を中央に位置させ、ピストンを安定させることができる。図８には、ピストンの移動軸に垂直な平面によって得られる、安定化部材およびトラックの断面が示されている。図８では、例示の目的のためにテーパが強調されている。
【００９２】
安定化部材１５は、第１端面３０および第２端面３１を備えている。第１端面３０と第２端面３１との間には、接触面２３ａ・２３ｂが伸びている。図９ａに示されるように、第１端面３０および第２端面３１は、第１位置決め部材３２および第２位置決め部材３３上に設けられた、第１位置決め面３２ａおよび第２位置決め面３３ａと係合し、かつ、当該第１位置決め面３２ａおよび第２位置決め面３３ａに対してスライドする（なお、図３から図６ｂにおいては、明確性を向上させるため、位置決め部材は図示されていない）。位置決め部材は、板状の部材である。当該位置決め部材は、第１トラック部１１ａと第２トラック部１１ｂとの間に配置され、エンジンが完全に組み立てられた時点では、ケーシング部材４ａ・４ｂ・４ｃにボルト締めされている（なお、図３から図７においては、ピストントラックおよびピストンが覆い隠されないように、位置決め部材は省略されている）。位置決め部材３２・３３は、安定化部材１５が、トラック部の間に形成されたスロットの内部において、前後方向に移動することまたは回転することを防ぐ。図９ａに示されるように、位置決め部材の同一の組は、第２ピストンアセンブリ５ｂの安定化部材の位置決めを行うためにも利用される。
【００９３】
安定化部材１５は、油ピックアップ２４を備えている。油ピックアップ２４は、自身の接触面２３ａ・２３ｂに開口を有している。当該開口は、トラック１１ａ・１１ｂのエッジ表面１４ａ・１４ｂ上の油膜から油を受容する。油は、ピストンの周辺の油ピックアップ２４から、内部の油路２５を介して、潤滑が必要である位置へと供給される。当該位置は、例えば、第１ローラ１８とピストンヘッド７と安定化部材１５との間の界面、および、第２ローラ２０と安定化部材１５とキャップ部材１６との間の界面である。
【００９４】
油は、図９ａおよび図９ｂに示される送油デバイス５０によって、エッジ面１４ａ・１４ｂへと輸送される。送油デバイス５０は、細長い本体部５１を備えている。本体部５１は、位置決め部材３３の内部に形成された収納部６０の内部に、スライド可能であるように受容される。本体５１は、位置決め部材３３およびカムフォロワ５２・５３の組と反対方向を向く作用面を有している。カムフォロワ５２・５３は、本体部の作用面のいずれか一方の端部から延びている。第１カムフォロワ５２は、第１ローラ１８の半径に実質的に等しい曲率半径を有するベアリング面を有している。第１カムフォロワは、第１トラック部１１ａの外側のカム表面１２ａに支持される。第２カムフォロワ５３は、第２ローラ２０の半径に実質的に等しい曲率半径を有するベアリング面を有している。第２カムフォロワは、第１トラック部１１ａの内側のカム表面１３ａに支持される。送油デバイスの作用面は、第１トラック部１１ａのエッジ表面１４ａに近接するように位置している。トラックがエンジンの内部において回転する場合、フォロワ５２・５３は、トラックの経路の形状に応じて、収納部６０の内部において送油デバイスを移動させる。これにより、作用面がトラックのエッジ表面に近接したままである状態が維持される。他の位置決め部材３２に形成された同様のスロット６２には、第２送油デバイス（不図示）が設けられている。
【００９５】
油は、ポンプ（不図示）による圧力によって、内部経路を介して、収納部６０の内部へと輸送される。当該内部経路は、位置決め部材３３を貫通するように伸び、かつ、収納部の内部において排出口を有している（なお、内部経路の排出口は、送油デバイス５０の本体５１によって覆い隠されている。但し、図９ａにおいて、他の位置決め部材３２における同様の送油装置を受容するための、同様の収納部の内部へ向かう排出口の開口については、可視である）。油は、本体５１の裏面に形成されたチャンバ５４（図９ｂに図示）の内部に受容され、かつ収集される。そして、油は、チャンバ５４から作用面まで、本体５１を貫通するように伸びる穴５５を介して、第１トラック部１１ａのエッジ表面１４ａに供給される。チャンバは十分に長いため、送油デバイスがトラック１１ａによって動かされた場合、当該送油デバイスの全ての移動範囲に亘って、排出口は油をチャンバ５４の内部へと直接的に排出できる。作用面は、エッジ表面１４ａにおいて形成された油膜の高さを制限する役割を果たす。また、作用面は、過剰な油を除去するワイパーとしての役割を果たすこともできる。それゆえ、送油デバイス５０は、安定化部材の上流において、トラック部１１ａのエッジ表面１４ａに対して、制御された方法によって短時間で、油を連続的に供給できる。これにより、エッジ表面が安定化部材を通り過ぎた時に、当該エッジ表面を良好に潤滑させることができる。第２送油デバイスは、トラック１１ａ・１１ｂの対向する面に配置されたピストンアセンブリ５ａの安定化部材の上流において、トラック部１１ａのエッジ表面１４ａを短時間で潤滑させる。付加的な送油デバイス（不図示）は、第２トラック部１１ｂのエッジ表面１４ｂを潤滑させるために、位置決め部材３２・３３の対向する面に取り付けられている。
【００９６】
図５ａに示されるように、ピストンの中心軸は、トラック１１ａ・１１ｂの回転軸を通過しない。トラックの回転軸は、ピストン軸に対して角度α４だけずらされている。ピストンがストロークの中心にある時、第１ローラ１８の回転軸における角度α４は約１５°である。それゆえ、ピストンヘッド７は、トラック１１ａ・１１ｂに対して、純粋な半径方向の移動に追従しない。このようにピストンをトラックからずらすことにより、ピストンからトラックへの動力、および／または逆方向の動力が伝達される効率を、最大化できる。また、トラックとピストンとの衝突(foul)を避けるため、当該トラックの形状が最適化されてもよい。
【００９７】
エンジンの動作中において、第１ローラ１８は、トラック１１ａ・１１ｂの外側のカム表面１２ａ・１２ｂに支持され、当該カム表面１２ａ・１２ｂとともに回転する。第２ローラ２０は、トラック１１ａ・１１ｂの内側のカム表面１３ａ・１３ｂに支持され、当該カム表面１３ａ・１３ｂとともに回転する。トラック１１ａ・１１ｂがエンジンの内部において回転すると、ピストンヘッド７は、トラックの通路の形状に応じて、シリンダスリーブ８の内部を移動する。動作サイクルのある時点において（例えば、吸気ストローク時、圧縮ストローク時、および排気ストローク時）、ピストンはトラックによって駆動される。動作サイクルのある時点において（例えば、パワーストローク時）、出力シャフト９から仕事が取り出されるように、トラックはピストンによって駆動される。トラックの経路の形状は任意の所定の形状であってよい。このため、ほとんどの従来型の内燃エンジンとは異なり、ピストンは単純な調和運動に追従するように制約される必要はない。当該ピストンは、所望の変位プロファイルを有することが可能となる。一例として、変位プロファイルは、（ｉ）異なる高さにおける複数の異なる局所的な上死点の位置、および／または、（ｉｉ）異なる高さにおける複数の異なる下死点の位置を含んでいてよい。図３に示されるように、ピストンが出力シャフトの回転ごと（吸気ストローク、圧縮ストローク、パワーストローク、および排気ストロークに加え、蒸気サイクルを含む）に６回のストロークを完了させ、当該ピストンが異なる高さにおいて、異なる上死点の位置および下死点の位置を通過するように、トラック１１ａ・１１ｂは形成されている。
【００９８】
図４に示されるように、第２ピストン装置５ｂは、同様のベアリング配置によって、第１ピストン装置５ａと同一のトラック１１ａ・１１ｂに接続されたピストンを備えている。第１ピストン装置５ａおよび第２ピストン装置５ｂのピストンは、互いに１８０°位相をずらして操作される。第３ピストン装置５ｃおよび第４ピストン装置５ｄはそれぞれ、２つのトラック部１１ｃ・１１ｄを有する同様のトラックに接続されたピストンを備えている。トラック部１１ｃ・１１ｄは、回転不能であるように出力シャフト９に取り付けられている。ピストン装置５ａ・５ｂ・５ｃ・５ｄのタイミングは、エンジンの振動を実質的に相殺するように設定される。代替的な実施形態において、エンジンは任意の数（例：１、２、３、または３より多い数）のトラックを備えていてもよく、かつ、各トラックによって操作される任意の数（例：１、２、３、または３より多い数）のピストン装置を有していてもよい。
【００９９】
上述の実施形態において、トラックは第１トラック部１１ａおよび第２トラック部１１ｂを備えている。第１トラック部１１ａおよび第２トラック部１１ｂはそれぞれ、上側のカム表面および下側のカム表面を提供する。ピストンは、（ｉ）第１トラック部および第２トラック部の両方の上側の表面に係合する第１ローラ１８と、（ｉｉ）第１トラック部および第２トラック部の両方のトラック部の下側の表面に係合する第２ローラ２０と、（ｉｉｉ）第１トラック部と第２トラック部との間に伸びる安定化部材を有している（図１０ａを参照）。しかしながら、当業者であれば、その他のトラック／ローラの配置（例：図１０ｂから図１０ｄに示される配置）が可能であることが理解できるであろう。例えば、第１ローラおよび第２ローラはそれぞれ、２つの個別のローラに置き換えられてよい。この場合、（ｉ）第１ローラ１０１８ａおよび第２ローラ１０２０ａがそれぞれ、第１トラック部１０１１ａの上側および下側の表面に係合し、（ｉｉ）第３ローラ１０１８ｂおよび第４ローラ１０２０ｂがそれぞれ、第２トラック部１０１１ｂの上側および下側の表面に係合し、（ｉｉｉ）安定化部材１０１５が第１トラック部と第２トラック部との間に伸びる（図１０ｂを参照）。ローラ１０１８ａ・１０１８ｂ・１０２０ａ・１０２０ｂはそれぞれ、ピストンヘッドの本体の内部、および／または、安定化部材の本体の内部へと伸びていてよい。あるいは、ローラ１０１８ａ・１０１８ｂ・１０２０ａ・１０２０ｂはそれぞれ、ピストンヘッドの本体の外側、および／または、安定化部材の本体の内部に配置されて、ローラ１０１８ａ・１０１８ｂ・１０２０ａ・１０２０ｂはそれぞれ、湾曲したベアリング面とトラックとの間に拘束されているようにしてもよい。代替的な例では、第１ローラ２０１８は、２つの平行な安定化部２０１５ａ・２０１５ｂの間に伸びており、かつ、単一のトラック部２０１１の上側の表面と係合する。一方、さらなるローラ２０２０ａ・２０２０ｂの組は、同一のトラック部に設けられた下側のカム表面の対応する組と係合する（図１０ｃ）。さらに代替的な例では、１つのトラック部３０１１のみが安定化部材３０１５の片側に設けられてよい。そして、第１ローラ３０１８および第２ローラ３０２０はそれぞれ、トラック３０１１の上側および下側のカム表面と係合する（図１０ｄを参照）。この場合、位置決め部材は、ピストンを安定させるために、トラック３０１１とは反対方向を向いている安定化部材の面と係合してよい。
【０１００】
上述の実施形態において、トラックは、連続的な環状のカム表面を提供する剛体のトラック部を備えている。代替的な実施形態では、トラックは、少なくとも１つの移動部を含んでいてもよい。当該移動部は、カム表面の一部を形成し、かつ、トラックのその他の部分に対して移動する。例えば、図１１には、トラック１００が示されている。トラック１００は、当該トラック１００に取り付けられたベアリングまたはローラ１０１を有している。当該ローラは、半径方向外側表面１０２を有している。当該表面は、トラックのカム表面１０３の一部を形成する。ローラ１０１は、トラックの極大の位置に配置されている。当該位置は、トラック１００によって操作されるピストンの上死点の位置に対応する。ピストンは、カム表面１０３に沿って走行するフォロワを有している。フォロワがローラ１０１の半径方向外側表面１０２の上部を移動すると、ローラ１０１は、トラックに対するピストンの移動方向に回転する。これにより、フォロワとカム表面１０３との間の滑りを防止または低減できる。ローラ１０１は３６０°に亘って回転可能であってもよいし、あるいは、より小さい回転角に制限されてもよい。ローラは、当該ローラの上部のフォロワの移動によって受動的に駆動されてもよいし、あるいは、例えばモータによって能動的に駆動されてもよい。
【０１０１】
上述の実施形態において、トラックは、半径方向内側表面および半径方向外側表面によってピストンの位置を制御する、半径方向のトラック（ラジアルトラック）である。代替的な実施形態において、ピストン２０７は、カム表面２１２ａ・２１２ｂ・２１３ａ・２１３ｂによって、環状のトラック２１１ａ・２１１ｂと接続されてよい。例えば、図１２に示されるように、カム表面２１２ａ・２１２ｂ・２１３ａ・２１３ｂは、トラックの回転軸２０９ａと平行な方向を向いている。図１２は、第１トラック２１１ａおよび第２トラック２１１ｂを備えた環状のトラックを示す。第１トラック２１１ａおよび第２トラック２１１ｂはそれぞれ、エッジ表面２１４ａ・２１４ｂを有している。エッジ表面２１４ａ・２１４ｂは、ピストン２０７の安定化部材の対向面と係合する。トラック部２１１ａ・２１１ｂは、同心円状に配置されている。これにより、図１３ａに示されるように、回転軸２０９ａの方向から見た場合に、内側のトラック部のエッジ表面２１４ａと外側のトラック部のエッジ表面２１４ｂとの間には、環状のギャップが形成される。図１３ｂに示されるように、ピストン２０７の安定化部材２１５は、回転軸と平行な方向から見た場合に、湾曲した形状を有している。当該形状は、エッジ表面２１４ａ・２１４ｂ間に形成された環状のギャップの形状と対応している（なお、図１３ｂでは、例示の目的のために、安定化部材の曲率半径および厚さは強調されている）。
【０１０２】
一例として、ピストンからトラックへの、および、逆方向への動力の伝達の効率を最大化するために、ピストンの中心軸は、トラックの回転軸に対してずらされていてよい（例えば、図１２において、紙面内にトラックの回転軸が存在している場合には、ピストンの中心軸は、紙面外を向くように角度付けされる）。
【０１０３】
図１４に示されるように、トラックが環状である場合、ローラ２１８・２２０の表面はそれぞれ、テーパ形状を有していてよい。これにより、トラックの回転軸に対するローラの最内端２１８ａ・２２０ａは、最外端２１８ａ・２２０ａよりも小さい直径を有する。それゆえ、ローラの最外端は、最内端に比べて、より大きい外周を有し、かつ、ローラの回転ごとにより長い距離を走行する。このように、テーパ状のローラは、トラックの半径方向における最内部と当該トラックのカム表面の半径方向における最外部とで、経路の長さを相違させることができる。
【０１０４】
上述の実施形態において、安定化部材はピストンヘッドに直接的に取り付けられており、第１ローラはピストンヘッドの下面に支持される。代替的な実施形態において、安定化部材は、連結棒等の中間的な部材を介して、ピストンヘッドに接続されていてもよい。当該部材は、ピストンヘッドおよび安定化部材に固定して取り付けられてもよい。あるいは、当該部材は、回転自在であるように、ピストンヘッドおよび安定化部材に取り付けられてもよい。
【０１０５】
上述の実施形態において、ローラは湾曲したベアリング面において、ピストンに取り付けられている。当該ベアリング面は、ローラの半径方向外側表面と係合しており、かつ、当該ローラの外周の周りの方向にある距離だけ伸びている。例えば、図１５ａに示されるように、付加的な（または代替的な）他の実施形態において、ローラ３１８ａは、ローラの半径方向内側表面と係合する湾曲したベアリング面において、ピストン３０７に取り付けられていてよい。図１５ａおよび図１５ｂに示される代替的な実施形態において、第１ローラ３１８ａは、シュー３１９ａに設けられた湾曲したベアリング面を介して、ピストン３０７に取り付けられている。シュー３１９ａは、ピストンの安定化部材３１５から、外側方向に、ローラ３１８ａの中空の中心の内部へと伸びて、ローラの半径方向内側表面と係合する。また、第１ローラ３１８ａは、ピストンヘッドの下面に設けられた湾曲したベアリング面を介して、ピストン３０７に取り付けられている。当該ベアリング面は、ローラの半径方向外側表面と係合する。ローラ３１８ａは、両方の湾曲したベアリング面を介して、ピストン３０７とトラック部との間において、負荷を伝達する。図１５ａに示されるように、シュー３１９ａは、ピストン３０７の片側にずらされている。これにより、ローラとシューとの間の接触面の中心は、負荷が最大となる方向に位置合わせされる。図１５ｂに示されるように、ローラ３１８ａは、シュー上において当該ローラを軸方向に保持するために、シュー３１９ａの反対側に配置された、半径方向内側表面に伸びるフランジを有している。シューは、安定化部材の接触面に配置された油ピックアップから、ローラの半径方向内側表面へと、油を供給してよい。同様のローラ配置が、安定化部材の反対側に設けられている。当該反対側では、ローラ３１８ｂがシュー３１９ｂに取り付けられており、当該ローラ３１８ｂはトラック部３１１ｂ上で走行する。また、ピストン３０７を反対方向に移動させるために、トラックの反対側には、同様のローラ配置３２０ａ／３２１ａおよび３２０ｂ／３２１ｂが設けられている。他の実施形態において、ローラは、半径方向内側表面のみを介して、ピストンと係合していてもよい。これにより、ローラはシューのみに取り付けられるので、当該ローラはシューのみを介して、ピストンとトラックとの間において負荷を伝達する。
【０１０６】
エンジンは、以下の工程によって組み立てられる。以下に述べる方法は、エンジンの一部を形成する全ての部材を組み立てるために必要な全ての工程を含んでいるわけではない。当該方法は、明確化のために、動力伝達機構およびケーシングを組み立てるための主要な工程に簡単化されている。
【０１０７】
ａ）ベアリングＡを、ケーシング部材４ｂに形成された収納部の内部へと圧入する。そして、ケーシング部材４ｂを貫通するように形成された穴に、シャフト９を挿入する（図１６ａおよび図１６ｂ）。
【０１０８】
ｂ）シャフト９にトラック部１１ｂを取り付け、当該トラック部１１ｂをベアリングＡと係合させる（図１６ｃ）。
【０１０９】
ｃ）外側の表面１２ｂを上側のローラ１８に係合させ、かつ、内側の表面１３ｂを下側のローラ２０に係合させることで、ピストン８０をトラック部１１ｂに接続する。そして、ピストンヘッドをシリンダスリーブ８に取り付ける（図１６ｄおよび図１６ｅ）。同様に、第２ピストン装置の反対側のピストンをトラック部１１ｂに接続する。
【０１１０】
ｄ）位置決め部材３２・３３をケーシング部材４ｂに取り付ける（図１６ｆ）。なお、位置決め部材３２・３３のそれぞれのスロット（それぞれの安定化部材の各面におけるスロットの１つ）には、送油デバイスが配置されている。
【０１１１】
ｅ）シャフト９にスペーサ部材Ｓを取り付ける（図６ｂにおいて、トラック部１１ｂの近傍に示されている）。そして、当該シャフトにトラック部１１ａを取り付け、当該トラック部１１ａをスペーサ部材と係合させる（図１６ｇ）。
【０１１２】
ｆ）ベアリングＢ（図４において、トラック部１２ａの下方に示されている）をケーシング部材４ｃに圧入する。そして、シャフト９にケーシング部材４ｃを取り付け、ベアリングＢをトラック部１１ａと係合させる（図１６ｈ）
ｇ）上記と同様の工程を行い、シャフト９にピストンアセンブリ５ｃ・５ｄを接続する。そして、ケーシング部材４ａを配置する（図１６ｉ）。
【０１１３】
ｈ）ケーシングを貫通するように伸びる締め具によって、ケーシング部材４ａ・４ｂ・４ｃを一体的に取り付ける（図１６ｊ）。
【０１１４】
トラック１１ａ・１１ｂとトラック１ｃ・１１ｄとの間に位置するケーシング部材４ｂは、各トラックと当該各トラックのピストンとがシャフトに接続される前に、シャフト９の周囲に配置される。ケーシング部材４ｂ・４ｃは、ピストンアセンブリ５ａ・５ｂがシャフト９に接続された後に、一体化される。そして、ケーシング部材４ａ・４ｂは、ピストンアセンブリ５ｃ・５ｄがシャフト９に接続された後に、一体化される。
【０１１５】
以上では、１つまたは複数の好適な実施形態を参照して、本発明を説明した。但し、添付の特許請求の範囲において規定される発明の範囲から逸脱しない限り、様々な変更または修正が行われてもよいことが理解されるであろう。
【０１１６】
態様１．
トラックと、シリンダ内部で移動可能なピストンとを含み、
上記トラックは、シリンダに対して、回転軸周囲を回転するように適合されており、かつ、カム表面と、当該カム表面から伸長しているエッジ面とを有し、
上記ピストンは、上記カム表面上を走行するフォロワによって、上記トラックと連結しており、
上記カム表面は、上記トラックが上記シリンダに対して移動するときに、ピストンヘッドが上記カム表面の軌道に従ってシリンダ内部で往復運動するように、形成されており、
上記ピストンに安定化部材が接続され、当該安定化部材は、上記ピストンヘッドの下部に伸長し、かつ、上記トラックの上記エッジ面と係合する接触面を備えている、ピストン装置。
【０１１７】
態様２．
上記トラックは、上記シリンダが上記回転軸に対して静止し続けている間に、上記回転軸周囲を回転する、態様１に記載のピストン装置。
【０１１８】
態様３．
上記安定化部材は、１つ以上の締め具によって、ピストンヘッドに固定して接続されている、態様１または２に記載のピストン装置。
【０１１９】
態様４．
上記安定化部材の上記接触面の形状は、実質的に、上記トラックの上記エッジ面の形状と一致する、態様１〜３の何れか１項に記載のピストン装置。
【０１２０】
態様５．
上記安定化部材は、第１端面および第２端面を備え、上記接触面は、当該第１端面と当該第２端面との間に伸長し、
上記第１端面および上記第２端面の少なくとも１つは、上記ピストンが往復運動するときに、滑走するように位置決め部材と係合する、態様１〜４の何れか１項に記載のピストン装置。
【０１２１】
態様６．
上記フォロワは、上記ピストンに取り付けられているローラを備えており、当該ローラは、上記トラックに沿って走行するときに、上記ピストンに対して回転するように適合されている、態様１〜５の何れか１項に記載のピストン装置。
【０１２２】
態様７．
上記トラックは、互いに反対方向を向いている第１カム表面および第２カム表面を備えており、上記エッジ面は、当該第１カム表面および当該第２カム表面の間に伸長し、
上記ピストンは、第１フォロワおよび第２フォロワを備え、当該第１フォロワおよび当該第２フォロワは、それぞれ、上記第１カム表面および上記第２カム表面上を走行する、態様１〜６の何れか１項に記載のピストン装置。
【０１２３】
態様８．
上記トラックは、上記安定化部材の各反対面に位置している第１トラック部および第２トラック部を備えており、
上記第１トラック部は、少なくとも１つのカム表面から伸長するエッジ面を備え、また、上記第２トラック部は、エッジ面を備え、当該エッジ面は、少なくとも１つのカム表面から伸長し、かつ上記第１トラック部の上記エッジ面に対向しており、
上記安定化部材は、第１接触面および第２接触面を備え、当該第１接触面および当該第２接触面は、上記第１トラック部および上記第２トラック部の各エッジ面と係合する、態様１〜７の何れか１項に記載のピストン装置。
【０１２４】
態様９．
上記安定化部材は、上記ピストンと上記トラックとの間の相対的な動きの方向に平行な方向に、上記安定化部材の範囲にわたって次第に細くなる厚さを有している、態様１〜８の何れか１項に記載のピストン装置。
【０１２５】
態様１０．
上記トラックは、上記回転軸に対する半径方向内側表面および／または半径方向外側表面として配置されている上記カム表面を有する半径方向トラックである、態様１〜９の何れか１項に記載のピストン装置。
【０１２６】
態様１１．
上記第１トラック部の上記エッジ面は、実質的に、上記第２トラック部の上記エッジ面に平行である、態様８に従属した場合の態様１０に記載のピストン装置。
【０１２７】
態様１２．
上記安定化部材は、上記ピストンの軸に平行な方向から見た場合、実質的にまっすぐである、態様１１に記載のピストン装置。
【０１２８】
態様１３．
上記トラックは、上記回転軸に平行な方向に向いて配置されている上記カム表面を有する環状トラックである、態様１〜９の何れか１項に記載のピストン装置。
【０１２９】
態様１４．
上記第１トラック部および上記第２トラック部は、上記第１トラック部の上記エッジ面と上記第２トラック部の上記エッジ面との間に環状の隙間が形成されるように、同心円状に配置されている、態様８に従属した場合の態様１３に記載のピストン装置。
【０１３０】
態様１５．
上記安定化部材は、上記環状の隙間内部に位置しており、かつ、上記回転軸に平行な方向から見た場合、湾曲した形状を有しており、当該湾曲した形状は、上記環状の隙間の湾曲した形状に実質的に一致する半径を有している、態様１４に記載のピストン装置。
【０１３１】
態様１６．
上記エッジ面は、上記安定化部材の上記接触面が、潤滑油の膜を介して上記トラックの上記エッジ面と接触するように潤滑油が差されている、態様１〜１５の何れか１項に記載のピストン装置。
【０１３２】
態様１７．
上記安定化部材の上記接触面は、上記トラックの上記エッジ面からオイルを受け取るように適合されているオイルピックアップを備えている、態様１６に記載のピストン装置。
【０１３３】
態様１８．
上記エッジ面は、潤滑油送達デバイスによって潤滑油が差され、
上記潤滑油送達デバイスは、潤滑油送達口を含む本体部を備え、当該潤滑油送達口を介して、潤滑油が上記エッジ面に供給され、
上記潤滑油送達デバイスは、少なくとも１つのフォロワをさらに備えており、当該少なくとも１つのフォロワは、上記トラックが上記シリンダに対して動いたとき、上記潤滑油送達デバイスが、上記潤滑油送達デバイスが、上記トラックの上記軌道に従って往復運動するように、上記潤滑油送達デバイスを上記トラックに連結し、これにより、上記エッジ面に対する潤滑油の供給が維持される、態様１６または１７に記載のピストン装置。
【０１３４】
態様１９．
態様１〜１８の何れか１項に記載の少なくとも１つのピストン装置を備えている、内燃エンジン。
【０１３５】
態様２０．
シリンダ内部で移動可能なピストンと、当該シリンダに対して移動するように適合されているカム表面を有するトラックとを備えており、
上記ピストンは、上記カム表面上を走行するベアリングによって上記トラックに連結されており、
上記ベアリングは、ローラと湾曲したベアリング面とを有しており、当該湾曲したベアリング面上で、上記ローラは、上記カム表面と上記ベアリング面との間に保持されているように、回転可能に取り付けられており、
上記ベアリング面は、上記ローラの外周の長さにおける一部分にのみ伸長する接触面を介して上記ローラと係合している、ピストン装置。
【０１３６】
態様２１．
上記湾曲したベアリング面は、上記ローラの半径方向内側表面と係合している、態様２０に記載のピストン装置。
【０１３７】
態様２２．
上記湾曲したベアリング面は、上記ローラの中空の中心部に伸長しているシュー上に備えられている、態様２１に記載のピストン装置。
【０１３８】
態様２３．
上記シューは、上記ローラの上記半径方向内側表面に潤滑油を供給し、かつ／または上記ローラの上記半径方向内側表面から潤滑油を除去するための潤滑油放出口および／または潤滑油ピックアップを備えている、態様２２に記載のピストン装置。
【０１３９】
態様２４．
上記ローラは、上記シューの側面に位置した、半径方向に内部に伸長しているフランジを有している、態様２２または２３に記載のピストン装置。
【０１４０】
態様２５．
上記湾曲したベアリング面と、上記ローラの上記半径方向内側表面との間の上記接触面は、１８０度未満の角度で伸長している、態様２１〜２４の何れか１項に記載のピストン装置。
【０１４１】
態様２６．
上記湾曲したベアリング面と上記ローラの上記半径方向内側表面との間の上記接触面は、上記ローラの回転中心軸を通り、かつ上記シリンダ内部の上記ピストンの移動方向に並んでいる平面の片側に偏って配置されている、態様２１〜２５の何れか１項に記載のピストン装置。
【０１４２】
態様２７．
上記湾曲したベアリング面は、上記ローラの半径方向外側表面と係合する、態様２０〜２６の何れか１項に記載のピストン装置。
【０１４３】
態様２８．
上記ピストンは、作用面を伴ったピストンヘッドを有しており、
上記湾曲したベアリング面は、上記ピストンヘッドの裏面上に備えられている、態様２７に記載のピストン装置。
【０１４４】
態様２９．
上記ローラの上記半径方向外側表面と係合する上記湾曲したベアリング面は、潤滑油放出口および／または潤滑油ピックアップを備えている、態様２７または２８に記載のピストン装置。
【０１４５】
態様３０．
上記ローラは、軸の端面を有し、
上記ピストンには、保持部が取り外し可能で取り付けられており、当該保持部は、上記ローラが当該保持部を越えて、その上記ローラの回転軸と並ぶ方向に上記ピストンに対して動くことを防ぐように、上記ローラの上記軸の端面に位置している、態様２７〜２９の何れか１項に記載のピストン装置。
【０１４６】
態様３１．
上記湾曲したベアリング面と上記ローラの上記半径方向外側表面との間の上記接触面は、１２０度と３３０度との間の角度で伸長している、態様２７〜３０の何れか１項に記載のピストン装置。
【０１４７】
態様３２．
上記湾曲したベアリング面と上記ローラの上記半径方向外側表面との間の上記接触面は、上記ローラの回転中心軸を通り、かつ上記シリンダ内部の上記ピストンの移動方向に並んでいる面の片側に偏って配置されている、態様２７〜３１の何れか１項に記載のピストン装置。
【０１４８】
態様３３．
上記カム表面は、上記トラックが上記シリンダに対して動くときに、上記ピストンヘッドが上記カム表面の軌道に従ってシリンダ内部で往復運動するように、形成されている、態様２０〜３２の何れか１項に記載のピストン装置。
【０１４９】
態様３４．
上記カム表面の少なくとも一部は、コーティング処理または表面処理が施されている、態様２０〜３３の何れか１項に記載のピストン装置。
【０１５０】
態様３５．
上記トラックは、連続した環を形成し、回転軸に対してシリンダに相対的に回転し、上記カム表面は環の周囲に伸長している連続表面が形成されている、態様２０〜３４の何れか１項に記載のピストン装置。
【０１５１】
態様３６．
上記シリンダは、上記トラックが上記シリンダに相対的に移動する間は固定された状態が維持される、態様２０〜３５の何れか１項に記載のピストン装置。
【０１５２】
態様３７．
上記ローラは、その上記ローラの周囲の周りに、その上記ローラの半径方向外側表面を越えて伸長する隆起であって、上記ローラの回転軸で決まる方向に上記ローラがピストンに相対的に移動するのを防ぐように上記トラックに係合する隆起を含み、および／または、上記トラックは、その上記トラックの周囲の周りに、上記カム表面を越えて伸長する隆起であって、上記ローラの回転軸で決まる方向に上記ローラがピストンに相対的に移動するのを防ぐように上記ローラと係合する隆起を含み、陥凹または溝、隆起がその半径方向外側表面でその周囲の周りに伸長し、上記トラックは、その回転軸で位置決めされる方向にピストンに相対的にローラが移動することを防ぐためにローラの陥凹または溝、隆起と係合する対応する陥凹または溝、隆起を含んでいる、態様２０〜３６の何れか１項に記載のピストン装置。
【０１５３】
態様３８．
上記接触面は部分的に円柱状である、態様２０〜３７の何れか１項に記載のピストン装置。
【０１５４】
態様３９．
上記トラックはさらに、上記第１カム表面と対向する第２カム表面を含み、上記ピストン装置はさらに、一つのローラと湾曲したベアリング表面とを有する第２のベアリングを含み、上記ローラが上記第２カム表面と上記ベアリング表面との間で保持されるように上記ローラが上記ベアリング表面に回転可能に取り付けられており、上記ベアリング表面は上記ローラの周囲の周りのある距離だけ伸長する接触面を介して上記ローラと係合している、態様２０〜３８の何れか１項に記載のピストン装置。
【０１５５】
態様４０．
上記トラックは、上記ピストンの両方の対向面に位置した第１、第２トラック部を含み、各トラックには各カム表面が設けられている、態様２０〜３９の何れか１項に記載のピストン装置。
【０１５６】
態様４１．
上記トラックは、上記シリンダに相対的に上記トラックの回転軸に対して半径方向内側表面または半径方向外側表面として配置された上記カム表面を有する半径方向のトラックである、態様２０〜４０の何れか１項に記載のピストン装置。
【０１５７】
態様４２．
上記シリンダは中心軸を持っており、上記シリンダの軸は上記シリンダに相対的である上記トラックの回転軸を通過しない、態様４１に記載のピストン装置。
【０１５８】
態様４３．
上記トラックは、上記シリンダに相対的なトラックの回転軸に平行な方向に面して配置された上記カム表面を有する環状のトラックである、態様２０〜４０の何れか１項に記載のピストン装置。
【０１５９】
態様４４．
上記シリンダは中心軸を有し、上記シリンダの軸は上記シリンダに相対的な上記トラックの回転軸と平行でない、態様４３に記載のピストン装置。
【０１６０】
態様４５．
上記ローラは、カム表面の半径方向最内側端におけるそのローラの直径がカム表面の半径方向最外側端のそのローラの直径より小さくなるようなテーパ状の形状を含む、態様４３または４４に記載のピストン装置。
【０１６１】
態様４６．
ベアリング装置により動作する態様２０〜４５の何れか１項に記載のピストンを含む、内燃エンジン。
【０１６２】
態様４７．
シリンダ内で可動なピストンと、上記シリンダに相対的に移動するように適合されているカム表面を有するトラックとを含むピストン装置であって、カム表面上を動くベアリングによって前記ピストンがトラックと結合しており、上記ベアリングは、ローラと、湾曲したベアリング表面とを含み、上記ローラは上記カム表面を動く半径方向外側表面を有しており、上記湾曲したベアリング表面は、上記ローラが上記ベアリング表面と上記カム表面との間で保持されるよう、上記ローラの半径方向外側表面に係合するようになっており、上記ベアリング表面は、上記ローラの半径方向外側表面の一部分が露出し、上記ベアリングが上記カム表面上を動くことができるよう、上記ローラの周囲の周りの距離の一部分だけ伸長する接触面を介して上記ローラと係合している、ピストン装置。
【０１６３】
態様４８．
トラックと結合したピストンを含むピストン装置を含む内燃エンジンであって、上記トラックはシャフトと結合しており、カム表面を有し、上記ピストンは、上記トラックの上記カム表面上を走行して上記ピストンの動きを制御するフォロワを有し、第１ケーシング部材および第２ケーシング部材を含むケーシングを有し、上記第１ケーシング部材は界面で上記第２ケーシング部材と接続し、第１ピストンは上記第１ケーシング部材および上記第２ケーシング部材の間の上記界面を通る内腔内で往復運動する、内燃エンジン。
【０１６４】
態様４９．
上記トラックは、互いに反対方向に面する第１カム表面と第２カム表面を有し、上記ピストンは、その各トラックの上記第１カム表面と上記第２カム表面上を各々動く第１及び第２フォロワを有し、上記ピストンは、上記第１カム表面を上記第１フォロワと係合するように、また上記第２カム表面を上記第２フォロワに係合するようにすることで、その各トラックと結合している、態様４８に記載の内燃エンジン。
【０１６５】
態様５０．
上記トラックは第１と第２トラック部を含み、各トラック部はカム表面を有し、上記ピストンは上記第１と上記第２トラック部の上記カム表面を介して上記トラックと結合している、態様４８または４９記載の内燃エンジン。
【０１６６】
態様５１．
第１と第２トラック部の間にプレート状の位置決め部材が設けられ、上記位置決め部材は、上記ピストンを安定化し、第１トラックと第２トラックの間で上記ピストンが移動するのを防ぐ、態様５０に記載の内燃エンジン。
【０１６７】
態様５２．
前記第１ケーシング部材および前記第２ケーシング部材の前記界面は実質的に平坦である、態様４８〜５１の何れか１項に記載の内燃エンジン。
【０１６８】
態様５３．
第２トラックに結合した第２ピストンを含み、上記第２トラックは上記シャフトと結合しており、カム表面を有し、上記第２ピストンは上記第２トラックの上記カム表面を走行するフォロワを有し、上記フォロワは、上記第２ピストンの動きを制御し、上記ケーシングはさらに第３ケーシング部材を含み、上記第２ケーシング部材は界面で上記第３ケーシング部材と接触し、上記第２ピストンは上記第２ケーシング部材と上記第３ケーシング部材との間の上記界面を貫通する内腔で往復運動する、態様４８〜５２の何れか１項に記載の内燃エンジン。
【０１６９】
態様５４．
上記各ケーシング部材はシャフトを取り囲む、態様４８〜５３の何れか１項に記載の内燃エンジン。
【０１７０】
態様５５．
上記ケーシング部材は、上記各ケーシング部材を通過する複数の締め具によって互いに接続されている、態様４８〜５４の何れか１項に記載の内燃エンジン。
【０１７１】
態様５６．
トラックに結合したピストンを含むピストン装置を含む内燃エンジンを組み立てる製造方法であって、上記トラックは、シャフトに結合していてカム表面を有し、上記ピストンは、上記トラックの上記カム表面上を走行してピストンの動きを制御するフォロワを有し、さらに第１ケーシング部材と第２ケーシング部材を含むケーシングを含み、第１ケーシング部材は界面で第２ケーシング部材と接触し、上記第１ピストンは第１ケーシング部材および第２ケーシング部材の間の界面を通る内腔内を往復運動し、a)上記第１トラックを上記シャフトに結合し、上記第１ピストンを上記第１トラックに結合することによって上記第１ピストン装置を上記シャフトに結合し、b)上記第１ピストン装置が上記シャフトに結合された後、上記第１及び上記第２ケーシング部材を上記第１ピストンの周囲に集め、c)一つ以上の締め具を用いて上記第１ケーシング部材及び上記第２ケーシング部材を結合する、内燃エンジンの製造方法。
【０１７２】
態様５７．
上記内燃エンジンはさらに、第２トラックに結合した第２ピストンを含み、上記第２トラックはシャフトと結合しており、カム表面を有し、上記第２ピストンは上記第２トラックのカム表面上を走行するフォロワを有し、上記フォロワは、上記第２ピストンの動きを制御し、上記ケーシングはさらに第３ケーシング部材を含み、上記第２ケーシング部材は界面で上記第３ケーシング部材と接触し、上記第２ピストンは上記第２ケーシング部材と上記第３ケーシング部材との間の界面を貫通する内腔で往復運動し、d)上記第２トラックを上記シャフトに結合して上記第２ピストンを上記第２トラックに結合させることによって、上記第２ピストン装置を上記シャフトに結合し、e)上記第２ピストン装置が上記シャフトに結合した後で上記第２ケーシング部材及び上記第３ケーシング部材を上記第２ピストンの周りに集め、f)１つ以上の締め具を使用し、上記第１ケーシング部材及び上記第２ケーシング部材を結合し、上記第２ケーシング部材及び上記第３ケーシング部材を結合する工程を含み、上記第１ピストン装置および第２ピストン装置がともに上記シャフトに結合する前に、上記第２ケーシング部材は上記第１ピストン及び上記第２ピストンの間に配置される、態様５６に記載の製造方法。
【０１７３】
条項１．
シリンダ内部で移動可能なピストンと、当該シリンダに対して移動するように適合されているカム表面を有するトラックとを備えており、
上記ピストンは、上記カム表面上を走行するベアリングによって上記トラックに連結されており、
上記ベアリングは、ローラと湾曲したベアリング面とを有しており、当該湾曲したベアリング面上で、上記ローラは、上記カム表面と上記ベアリング面との間に保持されているように、回転可能に取り付けられており、
上記ベアリング面は、上記ローラの外周の長さにおける一部分にのみ伸長する接触面を介して上記ローラと係合している、ピストン装置。
【０１７４】
条項２．
上記湾曲したベアリング面は、上記ローラの半径方向内側表面と係合している、条項１に記載のピストン装置。
【０１７５】
条項３．
上記湾曲したベアリング面は、上記ローラの中空の中心部に伸長しているシュー上に備えられている、条項２に記載のピストン装置。
【０１７６】
条項４．
上記シューは、上記ローラの上記半径方向内側表面に潤滑油を供給し、かつ／または上記ローラの上記半径方向内側表面から潤滑油を除去するための潤滑油放出口および／または潤滑油ピックアップを備えている、条項３に記載のピストン装置。
【０１７７】
条項５．
上記ローラは、上記シューの側面に位置した、半径方向に内部に伸長しているフランジを有している、条項３または４に記載のピストン装置。
【０１７８】
条項６．
上記湾曲したベアリング面と、上記ローラの上記半径方向内側表面との間の上記接触面は、１８０度未満の角度で伸長している、条項２〜５の何れか１項に記載のピストン装置。
【０１７９】
条項７．
上記湾曲したベアリング面と上記ローラの上記半径方向内側表面との間の上記接触面は、上記ローラの回転中心軸を通り、かつ上記シリンダ内部の上記ピストンの移動方向に並んでいる平面の片側に偏って配置されている、条項２〜６の何れか１項に記載のピストン装置。
【０１８０】
条項８．
上記湾曲したベアリング面は、上記ローラの半径方向外側表面と係合する、条項１〜７の何れか１項に記載のピストン装置。
【０１８１】
条項９．
上記ピストンは、作用面を伴ったピストンヘッドを有しており、
上記湾曲したベアリング面は、上記ピストンヘッドの裏面上に備えられている、条項８に記載のピストン装置。
【０１８２】
条項１０．
上記ローラの上記半径方向外側表面と係合する上記湾曲したベアリング面は、潤滑油放出口および／または潤滑油ピックアップを備えている、条項８または９に記載のピストン装置。
【０１８３】
条項１１．
上記ローラは、軸の端面を有し、
上記ピストンには、保持部が取り外し可能で取り付けられており、当該保持部は、上記ローラが当該保持部を越えて、その上記ローラの回転軸と並ぶ方向に上記ピストンに対して動くことを防ぐように、上記ローラの上記軸の端面に位置している、条項８〜１０の何れか１項に記載のピストン装置。
【０１８４】
条項１２．
上記湾曲したベアリング面と上記ローラの上記半径方向外側表面との間の上記接触面は、１２０度と３３０度との間の角度で伸長している、条項８〜１１の何れか１項に記載のピストン装置。
【０１８５】
条項１３．
上記湾曲したベアリング面と上記ローラの上記半径方向外側表面との間の上記接触面は、上記ローラの回転中心軸を通り、かつ上記シリンダ内部の上記ピストンの移動方向に並んでいる面の片側に偏って配置されている、条項８〜１２の何れか１項に記載のピストン装置。
【０１８６】
条項１４．
上記カム表面は、上記トラックが上記シリンダに対して動くときに、ピストンヘッドが上記カム表面の軌道に従ってシリンダ内部で往復運動するように、形成されている、条項１〜１３の何れか１項に記載のピストン装置。
【０１８７】
条項１５．
上記カム表面の少なくとも一部は、コーティング処理または表面処理が施されている、条項１〜１４の何れか１項に記載のピストン装置。
【０１８８】
条項１６．
上記トラックは、連続した環を形成し、回転軸に対してシリンダに相対的に回転し、上記カム表面は環の周囲に伸長している連続表面が形成されている、条項１〜１５の何れか１項に記載のピストン装置。
【０１８９】
条項１７．
上記シリンダは、上記トラックが上記シリンダに相対的に移動する間は固定された状態が維持される、条項１〜１６の何れか１項に記載のピストン装置。
【０１９０】
条項１８．
上記ローラは、その上記ローラの周囲の周りに、その上記ローラの半径方向外側表面を越えて伸長する隆起であって、上記ローラの回転軸で決まる方向に上記ローラがピストンに相対的に移動するのを防ぐように上記トラックに係合する隆起を含み、および／または、上記トラックは、その上記トラックの周囲の周りに、上記カム表面を越えて伸長する隆起であって、上記ローラの回転軸で決まる方向に上記ローラがピストンに相対的に移動するのを防ぐように上記ローラと係合する隆起を含み、陥凹または溝、隆起がその半径方向外側表面でその周囲の周りに伸長し、上記トラックは、その回転軸で位置決めされる方向にピストンに相対的にローラが移動することを防ぐためにローラの陥凹または溝、隆起と係合する対応する陥凹または溝、隆起を含んでいる、条項１〜１７の何れか１項に記載のピストン装置。
【０１９１】
条項１９．
上記接触面は部分的に円柱状である、条項１〜１８の何れか１項に記載のピストン装置。
【０１９２】
条項２０．
上記トラックはさらに、第１カム表面と対向する第２カム表面を含み、上記ピストン装置はさらに、一つのローラと湾曲したベアリング表面とを有する第２のベアリングを含み、上記ローラが上記第２カム表面と上記ベアリング表面との間で保持されるように上記ローラが上記ベアリング表面に回転可能に取り付けられており、上記ベアリング表面は上記ローラの周囲の周りのある距離だけ伸長する接触面を介して上記ローラと係合している、条項１〜１９の何れか１項に記載のピストン装置。
【０１９３】
条項２１．
上記トラックは、上記ピストンの両方の対向面に位置した第１、第２トラック部を含み、各トラックには各カム表面が設けられている、条項１〜２０の何れか１項に記載のピストン装置。
【０１９４】
条項２２．
上記トラックは、上記シリンダに相対的に上記トラックの回転軸に対して半径方向内側表面または半径方向外側表面として配置された上記カム表面を有する半径方向のトラックである、条項１〜２１の何れか１項に記載のピストン装置。
【０１９５】
条項２３．
上記シリンダは中心軸を持っており、上記シリンダの軸は上記シリンダに相対的である上記トラックの回転軸を通過しない、条項２２に記載のピストン装置。
【０１９６】
条項２４．
上記トラックは、上記シリンダに相対的なトラックの回転軸に平行な方向に面して配置された上記カム表面を有する環状のトラックである、条項１〜２１の何れか１項に記載のピストン装置。
【０１９７】
条項２５．
上記シリンダは中心軸を有し、上記シリンダの軸は上記シリンダに相対的な上記トラックの回転軸と平行でない、条項２４に記載のピストン装置。
【０１９８】
条項２６．
上記ローラは、カム表面の半径方向最内側端におけるそのローラの直径がカム表面の半径方向最外側端のそのローラの直径より小さくなるようなテーパ状の形状を含む、条項２４または２５に記載のピストン装置。
【０１９９】
条項２７．
ベアリング装置により動作する条項１〜２６の何れか１項に記載のピストンを含む、内燃エンジン。
【０２００】
条項２８．
シリンダ内で可動なピストンと、上記シリンダに相対的に移動するように適合されているカム表面を有するトラックとを含むピストン装置であって、カム表面上を動くベアリングによって前記ピストンがトラックと結合しており、上記ベアリングは、ローラと、湾曲したベアリング表面とを含み、上記ローラは上記カム表面を動く半径方向外側表面を有しており、上記湾曲したベアリング表面は、上記ローラが上記ベアリング表面と上記カム表面との間で保持されるよう、上記ローラの半径方向外側表面に係合するようになっており、上記ベアリング表面は、上記ローラの半径方向外側表面の一部分が露出し、上記ベアリングが上記カム表面上を動くことができるよう、上記ローラの周囲の周りの距離の一部分だけ伸長する接触面を介して上記ローラと係合している、ピストン装置。
【０２０１】
条項２９．
トラックと、第１シリンダ内部で移動可能な第１ピストンと、第２シリンダ内部で移動可能な第２ピストンとを含み、
上記トラックは、各シリンダに対して、回転軸周囲を回転するように適合されており、かつ、カム表面と、当該カム表面から伸長しているエッジ面とを有し、
上記第１ピストンは、上記カム表面上を走行する第１フォロワによって、上記トラックと連結しており、上記第２ピストンは、上記カム表面上を走行する第２フォロワによって、上記トラックと連結しており、
上記カム表面は、上記トラックが各シリンダに対して移動するときに、各ピストンヘッドが上記カム表面の軌道に従って各ピストン軸に沿って各シリンダ内部で往復運動するように、形成されており、各ピストン軸は、上記トラックの回転軸に垂直であり、
各ピストンに各安定化部材が接続され、各安定化部材は、各ピストンヘッドの下部に伸長し、かつ、上記トラックの上記エッジ面と係合する接触面を備え、上記第１ピストンの運動は上記トラックを介して上記第２ピストンの運動にのみ連結されている、ピストン装置。
【０２０２】
条項３０．
各シリンダが上記回転軸に対して固定で、上記トラックが上記回転軸周囲を回転する、条項２９に記載のピストン装置。
【０２０３】
条項３１．
各安定化部材は、１つ以上の締め具によって、ピストンヘッドに固定して接続されている、条項２９または３０に記載のピストン装置。
【０２０４】
条項３２．
各安定化部材の上記接触面の形状は、実質的に、上記トラックの上記エッジ面の形状と一致する、条項２９〜３１の何れか１項に記載のピストン装置。
【０２０５】
条項３３．
各安定化部材は、第１端面および第２端面を備え、上記接触面は、当該第１端面と当該第２端面との間に伸長し、
上記第１端面および上記第２端面の少なくとも１つは、上記各ピストンが往復運動するときに、滑走するように位置決め部材と係合する、条項２９〜３２の何れか１項に記載のピストン装置。
【０２０６】
条項３４．
各フォロワは、上記各ピストンに取り付けられているローラを備えており、当該ローラは、上記トラックに沿って走行するときに、上記各ピストンに対して回転するように適合されている、条項２９〜３３の何れか１項に記載のピストン装置。
【０２０７】
条項３５．
上記トラックは、互いに反対方向を向いている第１カム表面および第２カム表面を備えており、上記エッジ面は、当該第１カム表面および当該第２カム表面の間に伸長し、
各ピストンは、第１フォロワおよび第２フォロワを備え、当該第１フォロワおよび当該第２フォロワは、それぞれ、上記第１カム表面および上記第２カム表面上を走行する、条項２９〜３４の何れか１項に記載のピストン装置。
【０２０８】
条項３６．
上記トラックは、各安定化部材の各反対面に位置している第１トラック部および第２トラック部を備えており、
上記第１トラック部は、少なくとも１つのカム表面から伸長するエッジ面を備え、また、上記第２トラック部は、エッジ面を備え、当該エッジ面は、少なくとも１つのカム表面から伸長し、かつ上記第１トラック部の上記エッジ面に対向しており、
各安定化部材は、第１接触面および第２接触面を備え、当該第１接触面および当該第２接触面は、上記第１トラック部および上記第２トラック部の各エッジ面と係合する、条項２９〜３５の何れか１項に記載のピストン装置。
【０２０９】
条項３７．
各安定化部材は、上記各ピストンと上記トラックとの間の相対的な動きの方向に平行な方向に、上記各安定化部材の範囲にわたって次第に細くなる厚さを有している、条項２９〜３６の何れか１項に記載のピストン装置。
【０２１０】
条項３８．
上記トラックは、上記回転軸に対する半径方向内側表面および／または半径方向外側表面として配置されている上記カム表面を有する半径方向トラックである、条項２９〜３７の何れか１項に記載のピストン装置。
【０２１１】
条項３９．
上記トラックは、上記回転軸に対する半径方向内側表面および／または半径方向外側表面として配置されている上記カム表面を有する半径方向トラックであり、
上記第１トラック部の上記エッジ面は、実質的に、上記第２トラック部の上記エッジ面に平行である、条項３６に記載のピストン装置。
【０２１２】
条項４０．
各安定化部材の接触面は、上記ピストンの軸に平行な方向から見た場合、実質的にまっすぐである、条項３９に記載のピストン装置。
【０２１３】
条項４１．
上記トラックは、上記回転軸に平行な方向に向いて配置されている上記カム表面を有する環状トラックである、条項２９〜３７の何れか１項に記載のピストン装置。
【０２１４】
条項４２．
上記トラックは、上記回転軸に平行な方向に向いて配置されている上記カム表面を有する環状トラックであり、
上記第１トラック部および上記第２トラック部は、上記第１トラック部の上記エッジ面と上記第２トラック部の上記エッジ面との間に環状の隙間が形成されるように、同心円状に配置されている、条項３６に記載のピストン装置。
【０２１５】
条項４３．
各安定化部材は、上記環状の隙間内部に位置しており、かつ、上記回転軸に平行な方向から見た場合、湾曲した形状を有しており、当該湾曲した形状は、上記環状の隙間の湾曲した形状に実質的に一致する半径を有している、条項４２に記載のピストン装置。
【０２１６】
条項４４．
上記エッジ面は、各安定化部材の上記接触面が、潤滑油の膜を介して上記トラックの上記エッジ面と接触するように潤滑油が差されている、条項２９〜４３の何れか１項に記載のピストン装置。
【０２１７】
条項４５．
上記各安定化部材の上記接触面は、上記トラックの上記エッジ面からオイルを受け取るように適合されているオイルピックアップを備えている、条項４４に記載のピストン装置。
【０２１８】
条項４６．
上記エッジ面は、潤滑油送達デバイスによって潤滑油が差され、
上記潤滑油送達デバイスは、潤滑油送達口を含む本体部を備え、当該潤滑油送達口を介して、潤滑油が上記エッジ面に供給され、
上記潤滑油送達デバイスは、少なくとも１つのフォロワをさらに備えており、当該少なくとも１つのフォロワは、上記トラックが上記シリンダに対して動いたとき、上記潤滑油送達デバイスが、上記トラックの上記軌道に従って往復運動するように、上記潤滑油送達デバイスを上記トラックに連結し、これにより、上記エッジ面に対する潤滑油の供給が維持される、条項４４または４５に記載のピストン装置。
【０２１９】
条項４７．
各ピストンヘッドが上記カム表面の軌道に従って上記各ピストン軸に沿って上記シリンダ内部で単純調和運動でない往復運動をする、条項２９〜４６の何れか１項に記載のピストン装置。
【０２２０】
条項４８．
各ピストン軸は上記トラックの回転軸を通らない、条項２９〜４７の何れか１項に記載のピストン装置。
【０２２１】
条項４９．
条項２９〜４８の何れか１項に記載の少なくとも１つのピストン装置を備えている、内燃エンジン。
【０２２２】
条項５０．
トラックと、シリンダ内部で移動可能なピストンとを含み、
上記トラックは、シリンダに対して、回転軸周囲を回転するように適合されており、かつ、カム表面と、当該カム表面から伸長しているエッジ面とを有し、
上記ピストンは、上記カム表面上を走行するフォロワによって、上記トラックと連結しており、
上記カム表面は、上記トラックが上記シリンダに対して移動するときに、ピストンヘッドが上記カム表面の軌道に従ってピストン軸に沿ってシリンダ内部で往復運動するように、形成されており、上記ピストン軸は、上記トラックの回転軸に垂直であり、
上記ピストンに安定化部材が接続され、当該安定化部材は、上記ピストンヘッドの下部に伸長し、かつ、上記トラックの上記エッジ面と係合する接触面を備え、
上記トラックは、互いに対向している第１カム表面および第２カム表面を備えており、
上記ピストンは、第１フォロワおよび第２フォロワを備え、当該第１フォロワおよび当該第２フォロワは、それぞれ、上記第１カム表面および上記第２カム表面上を走行する、ピストン装置。
【０２２３】
条項５１．
上記シリンダが上記回転軸に対して固定で、上記トラックが上記回転軸周囲を回転する、条項５０に記載のピストン装置。
【０２２４】
条項５２．
上記安定化部材は、１つ以上の締め具によって、ピストンヘッドに固定して接続されている、条項５０または５１に記載のピストン装置。
【０２２５】
条項５３．
上記安定化部材の上記接触面の形状は、実質的に、上記トラックの上記エッジ面の形状と一致する、条項５０〜５２の何れか１項に記載のピストン装置。
【０２２６】
条項５４．
上記安定化部材は、第１端面および第２端面を備え、上記接触面は、当該第１端面と当該第２端面との間に伸長し、
上記第１端面および上記第２端面の少なくとも１つは、上記ピストンが往復運動するときに、滑走するように位置決め部材と係合する、条項５０〜５３の何れか１項に記載のピストン装置。
【０２２７】
条項５５．
上記フォロワは、上記ピストンに取り付けられているローラを備えており、当該ローラは、上記トラックに沿って走行するときに、上記ピストンに対して回転するように適合されている、条項５０〜５４の何れか１項に記載のピストン装置。
【０２２８】
条項５６．
上記第１カム表面および第２カム表面は互いに反対方向を向いており、上記エッジ面は、当該第１カム表面および当該第２カム表面の間に伸長
する、条項５０〜５５の何れか１項に記載のピストン装置。
【０２２９】
条項５７．
上記トラックは、上記安定化部材の各反対面に位置している第１トラック部および第２トラック部を備えており、
上記第１トラック部は、少なくとも１つのカム表面から伸長するエッジ面を備え、また、上記第２トラック部は、エッジ面を備え、当該エッジ面は、少なくとも１つのカム表面から伸長し、かつ上記第１トラック部の上記エッジ面に対向しており、
上記安定化部材は、第１接触面および第２接触面を備え、当該第１接触面および当該第２接触面は、上記第１トラック部および上記第２トラック部の各エッジ面と係合する、条項５０〜５６の何れか１項に記載のピストン装置。
【０２３０】
条項５８．
上記安定化部材は、上記ピストンと上記トラックとの間の相対的な動きの方向に平行な方向に、上記安定化部材の範囲にわたって次第に細くなる厚さを有している、条項５０〜５７の何れか１項に記載のピストン装置。
【０２３１】
条項５９．
上記トラックは、上記回転軸に対する半径方向内側表面および／または半径方向外側表面として配置されている上記カム表面を有する半径方向トラックである、条項５０〜５８の何れか１項に記載のピストン装置。
【０２３２】
条項６０．
上記トラックは、上記回転軸に対する半径方向内側表面および／または半径方向外側表面として配置されている上記カム表面を有する半径方向トラックであり、
上記第１トラック部の上記エッジ面は、実質的に、上記第２トラック部の上記エッジ面に平行である、条項５７に記載のピストン装置。
【０２３３】
条項６１．
上記安定化部材の接触面は、上記ピストンの軸に平行な方向から見た場合、実質的にまっすぐである、条項６０に記載のピストン装置。
【０２３４】
条項６２．
上記トラックは、上記回転軸に平行な方向に向いて配置されている上記カム表面を有する環状トラックである、条項５０〜５８の何れか１項に記載のピストン装置。
【０２３５】
条項６３．
上記トラックは、上記回転軸に平行な方向に向いて配置されている上記カム表面を有する環状トラックであり、
上記第１トラック部および上記第２トラック部は、上記第１トラック部の上記エッジ面と上記第２トラック部の上記エッジ面との間に環状の隙間が形成されるように、同心円状に配置されている、条項５７に記載のピストン装置。
【０２３６】
条項６４．
上記安定化部材は、上記環状の隙間内部に位置しており、かつ、上記回転軸に平行な方向から見た場合、湾曲した形状を有しており、当該湾曲した形状は、上記環状の隙間の湾曲した形状に実質的に一致する半径を有している、条項６３に記載のピストン装置。
【０２３７】
条項６５．
上記エッジ面は、上記安定化部材の上記接触面が、潤滑油の膜を介して上記トラックの上記エッジ面と接触するように潤滑油が差されている、条項５０〜６４の何れか１項に記載のピストン装置。
【０２３８】
条項６６．
上記安定化部材の上記接触面は、上記トラックの上記エッジ面からオイルを受け取るように適合されているオイルピックアップを備えている、条項６５に記載のピストン装置。
【０２３９】
条項６７．
上記エッジ面は、潤滑油送達デバイスによって潤滑油が差され、
上記潤滑油送達デバイスは、潤滑油送達口を含む本体部を備え、当該潤滑油送達口を介して、潤滑油が上記エッジ面に供給され、
上記潤滑油送達デバイスは、少なくとも１つのフォロワをさらに備えており、当該少なくとも１つのフォロワは、上記トラックが上記シリンダに対して動いたとき、上記潤滑油送達デバイスが、上記トラックの上記軌道に従って往復運動するように、上記潤滑油送達デバイスを上記トラックに連結し、これにより、上記エッジ面に対する潤滑油の供給が維持される、条項６５または６６に記載のピストン装置。
【０２４０】
条項６８．
上記ピストンヘッドが上記カム表面の軌道に従って上記ピストン軸に沿って上記シリンダ内部で単純調和運動でない往復運動をする、条項５０〜６７の何れか１項に記載のピストン装置。
【０２４１】
条項６９．
条項５０〜６８の何れか１項に記載の少なくとも１つのピストン装置を備えている、内燃エンジン。
【図面の簡単な説明】
【０２４２】
【図１】エンジンを示す図である。
【図２】様々な部材が省略された状態のエンジンを示す図である。
【図３】ケーシングが省略された状態のエンジンの端面図を示す図である。
【図４】ケーシングが省略された状態のエンジンの上面図を示す図である。
【図５ａ】所定の部材が省略された状態のエンジンのピストンのうちの１つに対する動力伝達機構を示す図である。
【図５ｂ】所定の部材が省略された状態のエンジンのピストンのうちの１つに対する動力伝達機構を示す図である。
【図６ａ】所定の部材が省略された状態のエンジンのピストンのうちの１つに対する動力伝達機構を示す図である。
【図６ｂ】所定の部材が省略された状態のエンジンのピストンのうちの１つに対する動力伝達機構を示す図である。
【図７ａ】エンジンのピストンを示す図である。
【図７ｂ】エンジンのピストンを示す図である。
【図７ｃ】エンジンのピストンを示す図である。
【図７ｄ】エンジンのピストンを示す図である。
【図７ｅ】エンジンのピストンを示す図である。
【図８】エンジンのピストンのうちの１つに対する動力伝達機構の断面を示す図である。
【図９ａ】エンジンのピストンのうちの２つと、当該ピストンを安定させるために用いられる位置決め部材とを示す図である。
【図９ｂ】送油機構を示す図である。
【図１０ａ】様々な代替的なベアリングの配置を示す図である。
【図１０ｂ】様々な代替的なベアリングの配置を示す図である。
【図１０ｃ】様々な代替的なベアリングの配置を示す図である。
【図１０ｄ】様々な代替的なベアリングの配置を示す図である。
【図１１】エンジンにおいて使用可能な代替的なトラックを示す。
【図１２】代替的なトラックのレイアウトを示す図である。
【図１３ａ】代替的なトラックのレイアウトを示す図である。
【図１３ｂ】代替的なトラックのレイアウトを示す図である。
【図１４】代替的なトラックのレイアウトを示す図である。
【図１５ａ】代替的なベアリングの配置を示す図である。
【図１５ｂ】代替的なベアリングの配置を示す図である。
【図１６ａ】組立時におけるエンジンの様々な段階を示す図である。
【図１６ｂ】組立時におけるエンジンの様々な段階を示す図である。
【図１６ｃ】組立時におけるエンジンの様々な段階を示す図である。
【図１６ｄ】組立時におけるエンジンの様々な段階を示す図である。
【図１６ｅ】組立時におけるエンジンの様々な段階を示す図である。
【図１６ｆ】組立時におけるエンジンの様々な段階を示す図である。
【図１６ｇ】組立時におけるエンジンの様々な段階を示す図である。
【図１６ｈ】組立時におけるエンジンの様々な段階を示す図である。
【図１６ｉ】組立時におけるエンジンの様々な段階を示す図である。
【図１６ｊ】組立時におけるエンジンの様々な段階を示す図である。
【図１】
2020143673.tif 000003
【図２】
2020143673.tif 000004
【図３】
2020143673.tif 000005
【図４】
2020143673.tif 000006
【図５ａ】
2020143673.tif 000007
【図５ｂ】
2020143673.tif 000008
【図６ａ】
2020143673.tif 000009
【図６ｂ】
2020143673.tif 000010
【図７ａ】
2020143673.tif 000011
【図７ｂ】
2020143673.tif 000012
【図７ｃ】
2020143673.tif 000013
【図７ｄ】
2020143673.tif 000014
【図７ｅ】
2020143673.tif 000015
【図８】
2020143673.tif 000016
【図９ａ】
2020143673.tif 000017
【図９ｂ】
2020143673.tif 000018
【図１０ａ】
2020143673.tif 000019
【図１０ｂ】
2020143673.tif 000020
【図１０ｃ】
2020143673.tif 000021
【図１０ｄ】
2020143673.tif 000022
【図１１】
2020143673.tif 000023
【図１２】
2020143673.tif 000024
【図１３ａ】
2020143673.tif 000025
【図１３ｂ】
2020143673.tif 000026
【図１４】
2020143673.tif 000027
【図１５ａ】
2020143673.tif 000028
【図１５ｂ】
2020143673.tif 000029
【図１６ａ】
2020143673.tif 000030
【図１６ｂ】
2020143673.tif 000031
【図１６ｃ】
2020143673.tif 000032
【図１６ｄ】
2020143673.tif 000033
【図１６ｅ】
2020143673.tif 000034
【図１６ｆ】
2020143673.tif 000035
【図１６ｇ】
2020143673.tif 000036
【図１６ｈ】
2020143673.tif 000037
【図１６ｉ】
2020143673.tif 000038
【図１６ｊ】
2020143673.tif 000039